(57)【要約】【課題】真正商品（高級バッグ等）の購入者又は所有者だけがその商品に関連する真正の画像（バッグやブランドマークなどの画像）を取得し、自分の携帯電話機などに表示できるようにする。【解決手段】ユーザは、ユーザＩＤとパスワードをサーバ装置に送信する。サーバ装置は、ユーザ認証を行う。認証成功なら、商品ＩＤ要求をクライアント装置に送信する。クライアント装置は、ユーザに対し商品ＩＤの送信を促す。ユーザは、商品ＩＤを入力し、送信させる。サーバ装置は、商品ＩＤとユーザＩＤとをキーにしてデータベースを検索する。そして、ユーザ認証結果と検索結果とに基づいて商品等の画像データを含む証明データを作成しクライアント装置に送信する。クライアント装置２００は、証明データを保存した後、表示する。【選択図】        図１１
2004303196.tif 000002
【特許請求の範囲】
【請求項１】
クライアント装置とサーバ装置とを備え、
前記クライアント装置は、
そのユーザを認証するための認証データを前記サーバ装置に送信する認証データ送信手段と、
前記ユーザが購入した又は所有している商品を特定するための商品ＩＤを前記サーバ装置に送信する商品ＩＤ送信手段と、
前記商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データ受信手段により受信した前記証明データの内容を表示する表示手段とを備え、
前記サーバ装置は、
前記認証データを前記クライアント装置から受信する認証データ受信手段と、
前記商品ＩＤを前記クライアント装置から受信する商品ＩＤ受信手段と、
前記認証データ受信手段により受信した前記認証用データに基づいてユーザを認証し、前記商品ＩＤ受信手段により受信した前記商品ＩＤに応じた前記証明データを作成する証明データ作成手段と、
前記証明データ作成手段により作成した前記証明データを前記クライアント装置に送信する証明データ送信手段とを備えていることを特徴とする模倣品流通防止システム。
【請求項２】
クライアント装置とサーバ装置とを備え、
前記クライアント装置は、
そのユーザが購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記証明データを表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項３】
クライアント装置とサーバ装置とを備え、
前記クライアント装置は、
そのユーザが購入した又は所有している商品、或いは購入検討中の商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データに付属する付属データを前記サーバ装置から受信する付属データ受信手段と、
前記ユーザを認証するための認証データを記憶保持している認証データ記憶手段と、
前記サーバ装置から受信した前記付属データと前記認証データ記憶手段に記憶されている前記認証データとに基づいて前記ユーザを認証し、前記証明データを表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項４】
クライアント装置とサーバ装置とを備え、
前記クライアント装置は、
そのユーザが購入した又は所有している商品が真正商品であることを証明するための証明データを前記サーバ装置から受信する証明データ受信手段と、
前記証明データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記証明データを前記付属データに含まれる表示許可期間情報に基づいて一定期間表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項５】
クライアント装置とサーバ装置とを備え、
前記クライアント装置は、
そのユーザが購入した又は所有している商品、或いは購入検討中の商品が真正商品であることを証明するための証明データを前記サーバ装置から受信する証明データ受信手段と、
前記証明データに付属する付属データを前記サーバ装置から受信する付属データ受信手段と、
前記ユーザを認証するための認証データを記憶保持している認証データ記憶手段と、
前記サーバ装置から受信した前記付属データと前記認証データ記憶手段に記憶されている前記認証データとに基づいて前記ユーザを認証し、前記証明データを前記付属データに含まれる表示許可期間情報に基づいて一定期間表示可能とする表示許可手段と、
前記表示許可手段により表示可能とされた前記証明データの内容を表示する表示手段とを備え、
前記サーバ装置は、
ユーザごとに異なる前記付属データを作成する付属データ作成手段と、
商品に応じた前記証明データを作成する証明データ作成手段と、
前記付属データ作成手段により作成した前記付属データおよび前記証明データ作成手段により作成した前記証明データを前記クライアント装置に送信する送信手段とを備えていることを特徴とする模倣品流通防止システム。
【請求項６】
前記サーバ装置は、
前記認証データ受信手段により受信した前記認証データに基づいてユーザを認証し、前記商品ＩＤ受信手段により受信した前記商品ＩＤに応じた前記証明データのサンプルデータを作成するサンプルデータ作成手段と、
前記サンプルデータ作成手段により作成した前記サンプルデータを前記クライアント装置に送信するサンプルデータ送信手段とを備え、
前記クライアント装置は、
前記サンプルデータを前記サーバ装置から受信するサンプルデータ受信手段と、
前記サンプルデータ受信手段により受信した前記サンプルデータの内容を表示する表示手段とを備え、
前記サンプルデータは、
前記サーバ装置から送信された時点あるいは前記クライアント装置により受信された時点から一定時間経過後に前記クライアント装置から自動的に消滅あるい
は消去される期限付きデータであることを特徴とする請求項１記載の模倣品流通防止システム。
【請求項７】
前記クライアント装置は、
前記証明データのサンプルデータと前記付属データとを前記サーバ装置から受信するサンプルデータ受信手段と、
前記サンプルデータ受信手段により受信した前記付属データと前記認証データ入力手段により入力された前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備え、
前記サーバ装置は、
前記証明データのサンプルデータを作成するサンプルデータ作成手段と、
前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項２記載の模倣品流通防止システム。
【請求項８】
前記クライアント装置は、
前記証明データのサンプルデータと前記付属データとを前記サーバ装置から受信するサンプルデータ受信手段と、
前記サーバ装置から受信した前記付属データと前記認証データ記憶手段に記憶されている前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備え、
前記サーバ装置は、
前記証明データのサンプルデータを作成するサンプルデータ作成手段と、
前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項３記載の模倣品流通防止システム。
【請求項９】
前記証明データは、前記商品または前記商品の包装に付される
標章の画像データを含むことを特徴とする請求項４〜８のいずれかに記載の模倣品流通防止システム。
【請求項１０】
前記証明データは、前記商品の画像、色調または模様の画像データを含むことを特徴とする請求項４〜９のいずれかに記載の模倣品流通防止システム。
【請求項１１】
前記クライアント装置は、
前記証明データ受信手段により受信した前記証明データを保存しておくための証明データ記憶手段と、
前記証明データ記憶手段に記憶されている証明データの中から任意の証明データを選択する選択手段と、
前記選択手段により選択された証明データの内容を前記表示手段に表示させる証明データ表示制御手段とを備えていることを特徴とする請求項１〜１０のいずれかに記載の模倣品流通防止システム。
【請求項１２】
前記認証データは、ユーザＩＤとパスワードとを含むことを特徴とする請求項１〜１のいずれかに記載の模倣品流通防止システム。
【請求項１３】
前記証明データは、前記商品の名称、その商品の型番号、その商品が何番目に製造された物であるかを示す製造番号、その商品を販売した店の名称、およびその商品を販売した店を特定するための販売店ＩＤのうちのいずれかに関するデータを含むことを特徴とする請求項１〜１２のいずれかに記載の模倣品流通防止システム。
【請求項１４】
前記証明データと同一内容の情報を前記商品に付して商品流通を行うことを特徴とする請求項１３記載の模倣品流通防止システム。
【請求項１５】
前記クライアント装置は、データ通信機能を有する携帯電話機であることを特徴とする請求項１〜１４のいずれかに記載の模倣品流通防止システム。
【請求項１６】
前記商品は、バッグ類、衣類、宝飾品、腕時計、および車両のうちのいずれかに属することを特徴とする請求項１〜１５のいずれかに記載の模倣品流通防止システム。
【請求項１７】
クライアント装置とサーバ装置とを用いた模倣品流通防止方法であって、
前記クライアント装置は、
そのユーザを認証するための認証データを前記サーバ装置に送信する認証データ送信ステップと、
前記ユーザが購入した又は所有している商品を特定するための商品ＩＤを前記サーバ装置に送信する商品ＩＤ送信ステップと、
前記商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、
前記証明データ受信ステップで受信した前記証明データの内容を表示する表示ステップとを実行し、
前記サーバ装置は、
前記認証データを前記クライアント装置から受信する認証データ受信ステップと、
前記商品ＩＤを前記クライアント装置から受信する商品ＩＤ受信ステップと、
前記認証データ受信ステップで受信した前記認証用データに基づいてユーザを認証し、前記商品ＩＤ受信ステップで受信した前記商品ＩＤに応じた前記証明データを作成する証明データ作成ステップと、
前記証明データ作成ステップで作成した前記証明データを前記クライアント装置に送信する証明データ送信ステップとを実行することを特徴とする模倣品流通防止方法。
【請求項１８】
クライアント装置とサーバ装置とを用いた模倣品流通防止方法であって、
前記クライアント装置は、
そのユーザが購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、
前記証明データに付属する付属データを前記サーバ装置から受信する付属データ受信ステップと、
前記ユーザを認証するための認証データを入力するための認証データ入力ステップと、
前記証明データ受信ステップで受信した前記付属データと前記認証データ入力ステップで入力された前記認証データとに基づいて前記ユーザを認証し、前記証明データを表示可能とする表示許可ステップと、
前記表示許可ステップで表示可能とされた前記証明データの内容を表示する表示ステップとを実行し、
前記サーバ装置は、
ユーザごとに異なる前記付属データを作成する付属データ作成ステップと、
商品に応じた前記証明データを作成する証明データ作成ステップと、
前記付属データ作成ステップで作成した前記付属データおよび前記証明データ作成ステップで作成した前記証明データを前記クライアント装置に送信する送信ステップとを実行することを特徴とする模倣品流通防止方法。
【請求項１９】
クライアント装置とサーバ装置とを用いた模倣品流通防止方法であって、
前記クライアント装置は、
そのユーザが購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、
前記証明データに付属する付属データを前記サーバ装置から受信する付属データ受信ステップと、
前記ユーザを認証するための認証データを認証データ記憶部に記憶保持する認証データ記憶ステップと、
前記サーバ装置から受信した前記付属データと前記認証データ記憶部に記憶されている前記認証データとに基づいて前記ユーザを認証し、前記証明データを表示可能とする表示許可ステップと、
前記表示許可ステップで表示可能とされた前記証明データの内容を表示する表示ステップとを実行し、
前記サーバ装置は、
ユーザごとに異なる前記付属データを作成する付属データ作成ステップと、
商品に応じた前記証明データを作成する証明データ作成ステップと、
前記付属データ作成ステップで作成した前記付属データおよび前記証明データ作成ステップにより作成した前記証明データを前記クライアント装置に送信する送信ステップとを実行することを特徴とする模倣品流通防止方法。
【請求項２０】
クライアント装置とサーバ装置とを用いた模倣品流通防止方法であって、
前記クライアント装置は、
そのユーザが購入した又は所有している商品が真正商品であることを証明するための証明データを前記サーバ装置から受信する証明データ受信ステップと、
前記証明データに付属する付属データを前記サーバ装置から受信する付属データ受信ステップと、
前記ユーザを認証するための認証データを入力するための認証データ入力ステップと、
前記証明データ受信ステップで受信した前記付属データと前記認証データ入力ステップで入力された前記認証データとに基づいて前記ユーザを認証し、前記証明データを前記付属データに含まれる表示許可期間情報に基づいて一定期間表示可能とする表示許可ステップと、
前記表示許可ステップで表示可能とされた前記証明データの内容を表示する表示ステップとを実行し、
前記サーバ装置は、
ユーザごとに異なる前記付属データを作成する付属データ作成ステップと、
商品に応じた前記証明データを作成する証明データ作成ステップと、
前記付属データ作成ステップで作成した前記付属データおよび前記証明データ作成ステップで作成した前記証明データを前記クライアント装置に送信する送信ステップとを実行することを特徴とする模倣品流通防止方法。
【請求項２１】
クライアント装置とサーバ装置とを用いた模倣品流通防止方
法であって、
前記クライアント装置は、
そのユーザが購入した又は所有している商品が真正商品であることを証明するための証明データを前記サーバ装置から受信する証明データ受信ステップと、
前記証明データに付属する付属データを前記サーバ装置から受信する付属データ受信ステップと、
前記ユーザを認証するための認証データを認証データ記憶部に記憶保持する認証データ記憶ステップと、
前記サーバ装置から受信した前記付属データと前記認証データ記憶部に記憶されている前記認証データとに基づいて前記ユーザを認証し、前記証明データを前記付属データに含まれる表示許可期間情報に基づいて一定期間表示可能とする表示許可ステップと、
前記表示許可ステップで表示可能とされた前記証明データの内容を表示する表示ステップとを実行し、
前記サーバ装置は、
ユーザごとに異なる前記付属データを作成する付属データ作成ステップと、
商品に応じた前記証明データを作成する証明データ作成ステップと、
前記付属データ作成ステップで作成した前記付属データおよび前記証明データ作成ステップにより作成した前記証明データを前記クライアント装置に送信する送信ステップとを実行することを特徴とする模倣品流通防止方法。
【請求項２２】
前記サーバ装置は、
前記認証データ受信ステップで受信した前記認証用データに基づいてユーザを認証し、前記商品ＩＤ受信ステップにより受信した前記商品ＩＤに応じた前記証明データのサンプルデータを作成するサンプルデータ作成ステップと、
前記サンプルデータ作成ステップにより作成した前記サンプルデータを前記クライアント装置に送信するサンプルデータ送信ステップとを実行し、
前記クライアント装置は、
前記サーバ装置から受信した前記サンプルデータを受信するサンプルデータ受信ステップと、
前記サンプルデータ受信ステップにより受信した前記サンプルデータの内容を表示する表示ステップとを実行し、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項１７記載の模倣品流通防止方法。
【請求項２３】
前記クライアント装置は、
前記証明データのサンプルデータと前記付属データとを前記サーバ装置から受信するサンプルデータ受信ステップと、
前記サンプルデータ受信ステップで受信した前記付属データと前記認証データ入力ステップで入力された前記認証データとに基づいて前記ユーザを認証し、前記サンプルデータを表示可能とするサンプルデータ表示許可ステップと、
前記サンプルデータ表示許可ステップにより表示可能とされた前記サンプルデータの内容を表示する表示ステップとを実行し、
前記サーバ装置は、
商品に応じた前記証明データのサンプルデータを作成するサンプルデータ作成ステップと、
前記付属データ作成ステップにより作成した前記付属データおよび前記サンプルデータ作成ステップにより作成した前記サンプルデータを前記クライアント装置に送信する送信ステップとを実行し、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項１８記載の模倣品流通防止方法。
【請求項２４】
前記クライアント装置は、
前記証明データのサンプルデータと前記付属データとを前記サーバ装置から受信するサンプルデータ受信ステップと、
前記サーバ装置から受信した前記付属データと前記認証データ記憶部に記憶されている前記認証データとに基づいて前記ユーザを認証し、前記サンプルデータを表示可能とするサンプルデータ表示許可ステップと、
前記サンプルデータ表示許可ステップで表示可能とされた前記サンプルデータの内容を表示する表示ステップとを実行し、
前記サーバ装置は、
商品に応じた前記証明データのサンプルデータを作成するサンプルデータ作成ステップと、
前記付属データ作成ステップで作成した前記付属データおよび前記サンプルデータ作成ステップで作成した前記サンプルデータを前記クライアント装置に送信する送信ステップとを実行し、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項１９記載の模倣品流通防止方法。
【請求項２５】
前記証明データは、前記商品または前記商品の包装に付される標章の画像データを含むことを特徴とする請求項２０〜２４のいずれかに記載
の模倣品流通防止方法。
【請求項２６】
前記証明データは、前記商品の画像、色調または模様の画像データを含むことを特徴とする請求項２０〜２５のいずれかに記載の模倣品流通防止方法。
【請求項２７】
前記クライアント装置は、
前記証明データ受信ステップにより受信した前記証明データを証明データ記憶部に保存する証明データ保存ステップと、
前記証明データ記憶部に保存されている証明データの中から任意の証明データを選択する選択ステップと、
前記選択ステップで選択した証明データの内容を表示する証明データ表示ステップとを実行することを特徴とする請求項１７〜２６のいずれかに記載の模倣品流通防止方法。
【請求項２８】
前記認証データは、ユーザＩＤとパスワードとを含むことを特徴とする請求項１７〜２７のいずれかに記載の模倣品流通防止方法。
【請求項２９】
前記証明データは、前記商品の名称、その商品の型番号、その商品が何番目に製造された物であるかを示す製造番号、その商品を販売した店の名称、およびその商品を販売した店を特定するための販売店ＩＤのうちのいずれかに関するデータを含むことを特徴とする請求項１７〜２８のいずれかに記載の模倣品流通防止方法。
【請求項３０】
前記証明データと同一内容の情報を前記商品に付して商品流通を行うことを特徴とする請求項２９記載の模倣品流通防止方法。
【請求項３１】
前記クライアント装置は、携帯電話機であることを特徴とする請求項１７〜３０のいずれかに記載の模倣品流通防止方法。
【請求項３２】
前記商品は、バッグ類、衣類、宝飾品、腕時計、および車両のうちのいずれかに属することを特徴とする請求項１７〜３１のいずれかに記載の模倣品流通防止方法。
【請求項３３】
クライアント装置とサーバ装置とを備え、
前記クライアント装置は、
そのユーザを認証するための認証データを前記サーバ装置に送信する認証データ送信手段と、
前記ユーザが購入した又は所有している商品を特定するための商品ＩＤを前記サーバ装置に送信する商品ＩＤ送信手段と、
前記商品に関連する画像データを前記サーバ装置から受信する商品関連画像受信手段と、
前記商品関連画像受信手段により受信した画像データの内容を表示する表示手段とを備え、
前記サーバ装置は、
前記認証データを前記クライアント装置から受信する認証データ受信手段と、
前記商品ＩＤを前記クライアント装置から受信する商品ＩＤ受信手段と、
前記認証データ受信手段により受信した前記認証用データに基づいてユーザを認証し、前記商品ＩＤ受信手段により受信した前記商品ＩＤに応じた前記画像データを作成する商品関連画像作成手段と、
前記商品関連画像作成手段により作成した前記画像データを前記クライアント装置に送信する画像データ送信手段とを備えていることを特徴とする商品関連画像提供システム。
【請求項３４】
クライアント装置とサーバ装置とを備え、
前記クライアント装置は、
そのユーザが購入した又は所有している商品に関連する画像データを前記サーバ装置から受信する商品関連画像受信手段と、
前記画像データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記画像データを表示可能とする表示許可手段と、
前記表示許可手段により表示可能とされた前記画像データの内容を表示する表示手段とを備え、
前記サーバ装置は、
ユーザごとに異なる前記付属データを作成する付属データ作成手段と、
商品に応じた前記画像データを作成する商品関連画像作成手段と、
前記付属データ作成手段により作成した前記付属データおよび前記商品関連画像作成手段により作成した前記画像データを前記クライアント装置に送信する送信手段とを備えていることを特徴とする商品関連画像提供システム。
【請求項３５】
クライアント装置とサーバ装置とを備え、
前記クライアント装置は、
そのユーザが購入した又は所有している商品に関連する画像データを前記サーバ装置から受信する商品関連画像受信手段と、
前記画像データに付属する付属データを前記サーバ装置から受信する付属データ受信手段と、
前記ユーザを認証するための認証データを記憶保持している認証データ記憶手段と、
前記サーバ装置から受信した前記付属データと前記認証データ記憶手段に記憶されている前記認証データとに基づいて前記ユーザを認証し、前記画像データを表示可能とする表示許可手段と、
前記表示許可手段により表示可能とされた前記画像データの内容を表示する表示手段とを備え、
前記サーバ装置は、
ユーザごとに異なる前記付属データを作成する付属データ作成手段と、
商品に応じた前記画像データを作成する商品関連画像作成手段と、
前記付属データ作成手段により作成した前記付属データおよび前記商品関連画像作成手段により作成した前記画像データを前記クライアント装置に送信する送信手段とを備えていることを特徴とする商品関連画像提供システム。
【請求項３６】
前記画像データは、前記商品または前記商品の包装に付される標章の画像データであることを特徴とする請求項３３〜３５のいずれかに記載の商品関連画像提供システム。
【請求項３７】
前記画像データは、前記商品の画像、色調または模様の画像データであることを特徴とする請求項３３〜３６のいずれかに記載の商品関連画像提供システム。
【請求項３８】
前記クライアント装置は、
前記商品関連画像受信手段により受信した前記画像データを保存しておくための商品関連画像記憶手段と、
前記商品関連画像記憶手段に記憶されている画像データの中から任意の画像データを選択する選択手段と、
前記選択手段により選択された画像データの内容を前記表示手段に表示させる商品関連画像表示制御手段とを備えていることを特徴とする請求項３３〜３７のいずれかに記載の商品関連画像提供システム。
【請求項３９】
前記認証データは、ユーザＩＤとパスワードとを含むことを特徴とする請求項３３〜３８のいずれかに記載の商品関連画像提供システム。
【請求項４０】
前記画像データは、前記商品の名称、その商品の型番号、その商品が何番目に製造された物であるかを示す製造番号、その商品を販売した店の名称、およびその商品を販売した店を特定するための販売店ＩＤのうちのいずれかに関するデータと同一ファイルに収納して提供されることを特徴とする請求項３３〜３９のいずれかに記載の商品関連画像提供システム。
【請求項４１】
前記クライアント装置は、データ通信機能を備えた携帯電話機であることを特徴とする請求項３３〜４０のいずれかに記載の商品関連画像提供システム。
【請求項４２】
前記商品は、バッグ類、衣類、宝飾品、腕時計、および車両のうちのいずれかに属することを特徴とする請求項３３〜４１のいずれかに記載の商品関連画像提供システム。
【請求項４３】
クライアント装置とサーバ装置とを用いた商品関連画像提供方法であって、
前記クライアント装置は、
そのユーザを認証するための認証データを前記サーバ装置に送信する認証データ送信ステップと、
前記ユーザが購入した又は所有している商品を特定するための商品ＩＤを前記サーバ装置に送信する商品ＩＤ送信ステップと、
前記商品に関連する画像データを前記サーバ装置から受信する商品関連画像受信ステップと、
前記商品関連画像受信ステップで受信した画像データの内容を表示する表示ステップとを実行し、
前記サーバ装置は、
前記認証データを前記クライアント装置から受信する認証データ受信ステップと、
前記商品ＩＤを前記クライアント装置から受信する商品ＩＤ受信ステップと、
前記認証データ受信ステップで受信した前記認証用データに基づいてユーザを認証し、前記商品ＩＤ受信ステップで受信した前記商品ＩＤに応じた前記画像データを作成する商品関連画像作成ステップと、
前記商品関連画像作成ステップで作成した前記画像データを前記クライアント装置に送信する商品関連画像送信ステップとを実行することを特徴とする商品関連画像提供方法。
【請求項４４】
クライアント装置とサーバ装置とを用いた商品関連画像提供方法であって、
前記クライアント装置は、
そのユーザが購入した又は所有している商品に関連する画像データを前記サーバ装置から受信する商品関連画像受信ステップと、
前記画像データに付属する付属データを前記サーバ装置から受信する付属データ受信ステップと、
前記ユーザを認証するための認証データを入力するための認証データ入力ステップと、
前記証明データ受信ステップで受信した前記付属データと前記認証データ入力ステップで入力された前記認証データとに基づいて前記ユーザを認証し、前記画像データを表示可能とする表示許可ステップと、
前記表示許可ステップで表示可能とされた前記画像データの内容を表示する表示ステップとを実行し、
前記サーバ装置は、
ユーザごとに異なる前記付属データを作成する付属データ作成ステップと、
商品に応じた前記画像データを作成する商品関連画像作成ステップと、
前記付属データ作成ステップで作成した前記付属データおよび前記商品関連画像作成ステップで作成した前記画像データを前記クライアント装置に送信する送信ステップとを実行することを特徴とする商品関連画像提供方法。
【請求項４５】
クライアント装置とサーバ装置とを用いた商品関連画像提供方法であって、
前記クライアント装置は、
そのユーザが購入した又は所有している商品に関連する画像データを前記サーバ装置から受信する商品関連画像受信ステップと、
前記画像データに付属する付属データを前記サーバ装置から受信する付属データ受信ステップと、
前記ユーザを認証するための認証データを認証データ記憶部に記憶保持する認証データ記憶ステップと、
前記サーバ装置から受信した前記付属データと前記認証データ記憶部に記憶されている前記認証データとに基づいて前記ユーザを認証し、前記画像データを表示可能とする表示許可ステップと、
前記表示許可ステップで表示可能とされた前記画像データの内容を表示する表示ステップとを実行し、
前記サーバ装置は、
ユーザごとに異なる前記付属データを作成する付属データ作成ステップと、
商品に応じた前記画像データを作成する商品関連画像作成ステップと、
前記付属データ作成ステップで作成した前記付属データおよび前記商品関連画像作成ステップにより作成した前記画像データを前記クライアント装置に送信する送信ステップとを実行することを特徴とする商品関連画像提供方法。
【請求項４６】
前記画像データは、前記商品または前記商品の包装に付され
る標章の画像データであることを特徴とする請求項４３〜４５のいずれかに記載の商品関連画像提供方法。
【請求項４７】
前記画像データは、前記商品の画像、色調または模様の画像データであることを特徴とする請求項４３〜４６のいずれかに記載の商品関連画像提供方法。
【請求項４８】
前記クライアント装置は、
前記商品関連画像受信ステップで受信した前記画像データを画像データ記憶部に保存する商品関連画像保存ステップと、
前記画像データ記憶部に保存されている画像データの中から任意の画像データを選択する選択ステップと、
前記選択ステップで選択した画像データの内容を前記表示手段に表示させる選択データ表示ステップとを実行することを特徴とする請求項４３〜４７のいずれかに記載の商品関連画像提供方法。
【請求項４９】
前記画像データは、ユーザＩＤとパスワードとを含むことを特徴とする請求項４３〜４８のいずれかに記載の商品関連画像提供方法。
【請求項５０】
前記画像データは、前記商品の名称、その商品の型番号、その商品が何番目に製造された物であるかを示す製造番号、その商品を販売した店の名称、およびその商品を販売した店を特定するための販売店ＩＤのうちのいずれかに関するデータと共に同一ファイルに収納して提供されることを特徴とする請求項４３〜４９のいずれかに記載の商品関連画像提供提法。
【請求項５１】
前記クライアント装置は、データ通信機能を備えた携帯電話機であることを特徴とする請求項４３〜５０のいずれかに記載の商品関連画像提供方法。
【請求項５２】
前記商品は、バッグ類、衣類、宝飾品、腕時計、および車両のうちのいずれかに属することを特徴とする請求項４３〜５１のいずれかに記載の商品関連画像提供方法。
【請求項５３】
そのユーザを認証するための認証データをサーバ装置に送信する認証データ送信手段と、
前記ユーザが購入した又は所有している商品を特定するための商品ＩＤを前記サーバ装置に送信する商品ＩＤ送信手段と、
前記商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、
前記証明データ受信手段により受信した前記証明データの内容を表示する表示手段とを備えたことを特徴とするクライアント装置。
【請求項５４】
商品に取り付けられているデータキャリアから商品ＩＤを読み出す商品ＩＤ読出手段を備え、
前記商品ＩＤ送信手段は、前記商品ＩＤ読出手段により読み出された商品ＩＤを前記サーバ装置に送信することを特徴とする請求項５３記載のクライアント装置。
【請求項５５】
そのユーザが購入した又は所有している商品が真正商品であることを証明するための証明データであって、前記商品または前記商品の包装に付される標章の画像データ、或いは前記商品の画像、色調または模様の画像データを含むデータをサーバ装置から受信する証明データ受信手段と、
前記証明データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記証明データを表示可能とする表示許可手段と、
前記表示許可手段により表示可能とされた前記証明データの内容を表示する表示手段とを備えたことを特徴とするクライアント装置。
【請求項５６】
そのユーザが購入した又は所有している商品、或いは購入検討中の商品が真正商品であることを証明するための証明データであって、前記商品または前記商品の包装に付される標章の画像データ、或いは前記商品の画像、色調または模様の画像データを含むデータをサーバ装置から受信する証明データ受信手段と、
前記証明データに付属する付属データを前記サーバ装置から受信する付属データ受信手段と、
前記ユーザを認証するための認証データを記憶保持している認証データ記憶手段と、
前記サーバ装置から受信した前記付属データと前記認証データ記憶手段に記憶されている前記認証データとに基づいて前記ユーザを認証し、前記証明データを表示可能とする表示許可手段と、
前記表示許可手段により表示可能とされた前記証明データの内容を表示する表示手段とを備えたことを特徴とするクライアント装置。
【請求項５７】
そのユーザが購入した又は所有している商品、或いは購入検討中の商品が真正商品であることを証明するための証明データであって、前記商品または前記商品の包装に付される標章の画像データ、或いは前記商品の画像、色調または模様の画像データを含むデータをサーバ装置から受信する証明データ受信手段と、
前記証明データに付属する付属データを前記サーバ装置から受信する付属データ受信手段と、
前記ユーザを認証するための認証データを入力するための認証データ入力手段と、
前記付属データ受信手段により受信した前記付属データと前記認証データ入力手段により入力された前記認証データとに基づいて前記ユーザを認証し、前記証明データを前記付属データに含まれる表示許可期間情報に基づいて一定期間表示可能とする表示許可手段と、
前記表示許可手段により表示可能とされた前記証明データの内容を表示する表示手段とを備えたことを特徴とするクライアント装置。
【請求項５８】
そのユーザが購入した又は所有している商品、或いは購入検討中の商品が真正商品であることを証明するための証明データであって、前記商品または前記商品の包装に付される標章の画像データ、或いは前記商品の画像、色調または模様の画像データを含むデータをサーバ装置から受信する証明データ受信手段と、
前記証明データに付属する付属データを前記サーバ装置から受信する付属データ受信手段と、
前記ユーザを認証するための認証データを記憶保持している認証データ記憶手段と、
前記付属データ受信手段により受信した前記付属データと前記認証データ記憶手段に記憶されている前記認証データとに基づいて前記ユーザを認証し、前記証明データを前記付属データに含まれる表示許可期間情報に基づいて一定期間表示可能とする表示許可手段と、
前記表示許可手段により表示可能とされた前記証明データの内容を表示する表示手段とを備えたことを特徴とするクライアント装置。
【請求項５９】
前記証明データのサンプルデータを前記サーバ装置から受信するサンプルデータ受信手段と、
前記サンプルデータ受信手段により受信した前記サンプルデータの内容を表示する表示手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項５３または５４記載のクライアント装置。
【請求項６０】
前記証明データのサンプルデータと前記付属データとを前記サーバ装置から受信するサンプルデータ受信手段と、
前記サンプルデータ受信手段により受信した前記付属データと前記認証データ入力手段により入力された前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備えたことを特徴とする請求項５５記載のクライアント装置。
【請求項６１】
前記証明データのサンプルデータと前記付属データとを前記サーバ装置から受信するサンプルデータ受信手段と、
前記サーバ装置から受信した前記付属データと前記認証データ記憶手段に記憶されている前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備えたことを特徴とする請求項５６記載のクライアント装置。
【請求項６２】
前記証明データ受信手段により受信した前記証明データを保存しておくための証明データ記憶手段と、
前記証明データ記憶手段に記憶されている証明データの中から任意の証明データを選択する選択手段と、
前記選択手段により選択された証明データの内容を前記表示手段に表示させる証明データ表示制御手段とを備えていることを特徴とする請求項５３〜６１のいずれかに記載のクライアント装置。
【請求項６３】
前記認証データは、ユーザＩＤとパスワードとを含むことを特徴とする請求項５３〜６２のいずれかに記載のクライアント装置。
【請求項６４】
前記証明データは、前記商品の名称、その商品の型番号、その商品が何番目に製造された物であるかを示す製造番号、その商品を販売した店の名称、およびその商品を販売した店を特定するための販売店ＩＤのうちいずれかに関するデータを含むことを特徴とする請求項５３〜６３のいずれかに記載のクライアント装置。
【請求項６５】
データ通信機能を有する携帯電話機であることを特徴とする請求項５３〜６４のいずれかに記載のクライアント装置。
【請求項６６】
前記商品は、バッグ類、衣類、宝飾品、腕時計、および車両のうちのいずれかに属することを特徴とする請求項５３〜６５のいずれかに記載のクライアント装置。
【請求項６７】
クライアント装置のユーザを認証するための認証データを当該クライアント装置から受信する認証データ受信手段と、
前記ユーザが購入した又は所有している商品を特定するための商品ＩＤを前記クライアント装置から受信する商品ＩＤ受信手段と、
前記認証データ受信手段により受信した前記認証用データに基づいてユーザを認証し、前記商品ＩＤ受信手段により受信した前記商品ＩＤに応じた証明データを作成する証明データ作成手段と、
前記証明データ作成手段により作成した前記証明データを前記クライアント装置に送信する証明データ送信手段とを備え、
前記証明データは、
前記クライアント装置のユーザが購入した又は所有している商品が真正商品であることを証明するためのデータであって、前記商品または前記商品の包装に付される標章の画像データ、或いは前記商品の画像、色調または模様の画像データを含むデータであることを特徴とするサーバ装置。
【請求項６８】
クライアント装置のユーザごとに異なる付属データを作成する付属データ作成手段と、
商品に応じた証明データを作成する証明データ作成手段と、
前記付属データ作成手段により作成した前記付属データおよび前記証明データ作成手段により作成した前記証明データを前記クライアント装置に送信する送信手段とを備え、
前記証明データは、
前記クライアント装置のユーザが購入した又は所有している商品が真正商品であることを証明するためのデータであって、前記商品または前記商品の包装に付される標章の画像データ、或いは前記商品の画像、色調または模様の画像データを含むデータであり、
前記付属データは、
前記証明データに付属する付属データであることを特徴とするサーバ装置。
【請求項６９】
前記認証データ受信手段により受信した前記認証データに基づいてユーザを認証し、前記商品ＩＤ受信手段により受信した前記商品ＩＤに応じた前記証明データのサンプルデータを作成するサンプルデータ作成手段と、
前記サンプルデータ作成手段により作成した前記サンプルデータを前記クライアント装置に送信するサンプルデータ送信手段とを備えた請求項６６記載のサーバ装置。
【請求項７０】
前記証明データのサンプルデータを作成するサンプルデータ作成手段と、
前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする請求項６８記載のサーバ装置。
【請求項７１】
前記認証データは、ユーザＩＤとパスワードとを含むことを特徴とする請求項６７〜７０のいずれかに記載のサーバ装置。
【請求項７２】
前記証明データは、前記商品の名称、その商品の型番号、その商品が何番目に製造された物であるかを示す製造番号、その商品を販売した店の名称、およびその商品を販売した店を特定するための販売店ＩＤのうちいずれかに関するデータを含むことを特徴とする請求項請求項６７〜７１のいずれかに記載のサーバ装置。
【請求項７３】
前記クライアント装置は、データ通信機能を有する携帯電話機であることを特徴とする請求項６７〜７２のいずれかに記載のサーバ装置。
【請求項７４】
前記商品は、バッグ類、衣類、宝飾品、腕時計、および車両のうちのいずれかに属することを特徴とする請求項６７〜７３のいずれかに記載のサーバ装置。
【請求項７５】
請求項１、２、３、４、５、６、７、８、９、１５、３３、３４、３５、３６、または４１に記載の前記クライアント装置を、コンピュータを用いて実現するためのプログラム。
【請求項７６】
請求項１、２、３、４、５、６、７、８、３３、３４、または３５に記載の前記サーバ装置を、コンピュータを用いて実現するためのプログラム。
【請求項７７】
請求項１７〜３２のいずれかに記載の模倣品流通防止方法を、複数のコンピュータを含む通信システムを用いて実施するためのプログラム。
【請求項７８】
請求項４３〜５２のいずれかに記載の商品関連画像提供方法を、複数のコンピュータを含む通信システムを用いて実施するためのプログラム。
【請求項７９】
請求項５３〜６６のいずれかに記載のクライアント装置を、コンピュータを用いて実現するためのプログラム。
【請求項８０】
請求項６７〜７４のいずれかに記載のサーバ装置を、コンピュータを用いて実現するためのプログラム。
【請求項８１】
請求項７５〜８０のいずれかに記載のプログラムを記録したコンピュータ読み取り可能な記録媒体。
【発明の詳細な説明】
【技術分野】
【０００１】
本発明は、ユーザが購入した又は所有している商品、或いはユーザが購入を検討している商品が真正商品（本物）であるか否かを、当該ユーザの携帯電話機などを利用して容易に判別できるようにした模倣品流通防止システムに関する。さらに、本発明は、真正商品の関連画像（商品の画像、商品または商品の包装に付される標章の画像、等）を、当該商品を購入した又は所有しているユーザの携帯電話機に表示できるようにした商品関連画像提供システムに関する。
【背景技術】
【０００２】
従来、模倣品の流通防止に関する技術として、商品管理情報を書き込んだ非接触タグを商品に取り付けておき、商品の流通過程で適時、非接触タグから商品情報を読み出すことにより、その商品が真正商品であるか否かを判別したり、正規の流通ルートを経ていない商品を判別したりする技術が知られている。（特許文献１、特許文献２等参照）。
【０００３】
また、商品（製品）の保証書をデジタル情報化することで、製造者から購入者まで一貫して利用できるようにした技術も知られている。（特許文献３参照）
【０００４】
しかし、特許文献１および特許文献２に記載された技術は、専ら商品管理者サイドが模倣品の流通を監視するための技術であり、商品購入者が直接使用できるものではない。商品購入者は、商品に取り付けられた非接触タグから商品情報を読み出すためのタグリーダを所有していないため、その商品が真正商品であるか否かを、自ら確認することはできない。
【０００５】
また、特許文献３に記載された技術は、商品の保証書をデジタル情報化し、それを製造者や流通監視者だけでなく、購入者も利用できるようにしている。しかし、この技術は、専ら、商品購入後に使用され技術であり、ユーザが商品の購入を検討している時点では使用できない。すなわち、商品の購入を検討しているユーザは、その商品が真正商品であるか否かをこの技術では判別することができない。
【０００６】
また、これらの特許文献に記載された技術に限らず、真正商品の購入者又は所有者だけがその商品の画像やその商品のブランドマークなどの真正の画像を取得し、携帯電話機などに表示できるようにした技術は従来存在しない。
【０００７】
したがって、従来の技術では、商品が真正商品であることを、その商品の画像やその商品のブランドマークなどの真正の画像を携帯電話機などに表示することによって、購入者又は所有者が自ら確認することはできない。
【０００８】
また、従来の技術では、真正商品の購入者又は所有者だけがその商品に関連する真正の画像を収集できるようにして、当該画像自体に付加価値を持たせることはできない。たとえば、エルメス、ルイ・ヴィトン、シャネル、といった有名ブランドのバッグの画像やブランドマークの画像を、真正のバッグの購入者又は真正のバッグを正当なルートで入手した所有者だけが収集できるようにして、真正のバッグを購入した又は所有しているという満足感と共にバッグの画像やブランドマークの画像を収集する楽しみを所有者等に与えることは、従来の技術では不可能である。
【０００９】
【特許文献１】2000-148950号公報
【特許文献２】2002-255347号公報
【特許文献３】特開平10-105626号公報
【発明の開示】
【発明が解決しようとする課題】
【００１０】
本発明は、上記のような事情の下に創案されたものであり、その第１の目的は、真正商品の購入者又は所有者だけがその商品の画像やその商品のブランドマークなど、その商品に関連する真正の画像を取得し、自分の携帯電話機などに表示できるようにした模倣品流通防止システムおよび商品関連画像提供システムを提供することにある。
【００１１】
第２の目的は、商品を購入した又は所有しているユーザのみならず、商品の購入を検討中のユーザも、その商品が真正商品であるか否かを容易に判別することができるようにした模倣品流通防止システムを提供することにある。
【００１２】
第３の目的は、真正商品の購入者又は所有者だけがその商品の画像やその商品のブランドマークなど、その商品に関連する真正の画像を取得し、携帯電話機などに表示できるようにした模倣品流通防止方法および商品関連画像提供方法を提供することにある。
【００１３】
第４の目的は、商品を購入又は所有しているユーザのみならず、商品の購入を検討中のユーザも、その商品が真正商品であるか否かを容易に判別することができるようにした模倣品流通防止方法を提供することにある。
【００１４】
第５の目的は、本発明の模倣品流通防止システムまたは本発明の商品関連画像提供システムの構成要素であるクライアント装置を提供することにある。
【００１５】
第６の目的は、本発明の模倣品流通防止システムまたは本発明の商品関連画像提供システムの構成要素であるサーバ装置を提供することにある。
【００１６】
第７の目的は、本発明にかかるシステム、本発明のクライアント装置、および本発明のサーバ装置を、コンピュータを用いて実現するためのプログラムを提供することにある。
【００１７】
第８の目的は、本発明にかかるシステム、本発明のクライアント装置、および本発明のサーバ装置を、コンピュータを用いて実現するためのプログラムを記録した記録媒体を提供することにある。
【課題を解決するための手段】
【００１８】
上記目的を達成するために、本願にかかる発明では以下の手段を採用した。
【００１９】
請求項１記載の発明の模倣品流通防止システムは、
クライアント装置とサーバ装置とを備え、
前記クライアント装置は、
そのユーザ（そのクライアント装置の所有者）を認証（本人認証；その人がそのクライアント装置の所有者としてユーザ登録されているユーザ本人であることを認証）するための認証データを前記サーバ装置に送信する認証データ送信手段と、前記ユーザが購入した又は所有している商品を特定するための商品ＩＤを前記サーバ装置に送信する商品ＩＤ送信手段と、前記商品が真正商品であることを証明するための証明データであって、前記商品または前記商品の包装に付される標章の画像データ、或いは前記商品の画像、色調または模様の画像データを含むデータを前記サーバ装置から受信するデータ受信手段と、前記証明データ受信手段により受信した前記証明データの内容を表示する表示手段とを備え、
前記サーバ装置は、
前記認証データを前記クライアント装置から受信する認証データ受信手段と、前記商品ＩＤを前記クライアント装置から受信する商品ＩＤ受信手段と、前記認証データ受信手段により受信した前記認証用データに基づいてユーザを認証し、前記商品ＩＤ受信手段により受信した前記商品ＩＤに応じた前記証明データを作成する証明データ作成手段と、前記証明データ作成手段により作成した前記証明データを前記クライアント装置に送信する証明データ送信手段とを備えた。
【００２０】
この模倣品流通防止システムでは、ユーザは、認証データおよび商品ＩＤを、自分のクライアント装置を使用してサーバ装置に送信する。サーバ装置は、クライアント装置から認証データおよび商品ＩＤを受信する。そして、受信した認証データに基づいてユーザ認証を試みる。その結果、認証に成功すなわちユーザ本人であることが確認できたならば、サーバ装置は、受信した商品ＩＤに応じた証明データを作成し、その証明データを、認証データおよび商品ＩＤの送信元クライアント装置に送信する。クライアント装置は、サーバ装置から証明データを受信し、その証明データの内容を表示する。
【００２１】
請求項２記載の発明の模倣品流通防止システムは、
クライアント装置とサーバ装置とを備え、
前記クライアント装置は、
そのユーザ（そのクライアント装置の所有者）が購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、前記証明データに付属する付属データを前記サーバ装置から受信する付属データ受信手段と、前記ユーザを認証するための認証データを入力するための認証データ入力手段と、前記付属データ受信手段により受信した前記付属データと前記認証データ入力手段により入力された前記認証データとに基づいて前記ユーザを認証（本人認証；その人がそのクライアント装置の所有者としてユーザ登録されているユーザ本人であることを認証）し、前記証明データを表示可能とする表示許可手段と、前記表示許可手段により表示可能とされた前記証明データの内容を表示する表示手段とを備え、
前記サーバ装置は、
ユーザごとに異なる前記付属データを作成する付属データ作成手段と、商品に応じた前記証明データを作成する証明データ作成手段と、前記付属データ作成手段により作成した前記付属データおよび前記証明データ作成手段により作成した前記証明データを前記クライアント装置に送信する送信手段とを備えた。
【００２２】
この模倣品流通防止システムでは、サーバ装置は、ユーザごとに異なる付属データと商品に応じた証明データとを作成し、これらのデータをクライアント装置に送信する。クライアント装置は、サーバ装置から証明データおよび付属データを受信する。ユーザ（クライアント装置の所有者）は、クライアント装置に認証データを入力する。クライアント装置は、受信した付属データとユーザにより入力された認証データとに基づいてユーザ認証を試みる。その結果、認証に成功すなわちユーザ本人であることが確認できたならば、受信した証明データの内容を表示する。
【００２３】
請求項３記載の発明の模倣品流通防止システムは、
クライアント装置とサーバ装置とを備え、
前記クライアント装置は、
そのユーザ（そのクライアント装置の所有者）が購入した又は所有している商品、或いは購入検討中の商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、前記証明データに付属する付属データを前記サーバ装置から受信する付属データ受信手段と、前記ユーザを認証するための認証データを記憶保持している認証データ記憶手段と、前記サーバ装置から受信した前記付属データと前記認証データ記憶手段に記憶されている前記認証データとに基づいて前記ユーザを認証（本人認証；その人がそのクライアント装置の所有者としてユーザ登録されているユーザ本人であることを認証）し、前記証明データを表示可能とする表示許可手段と、前記表示許可手段により表示可能とされた前記証明データの内容を表示する表示手段とを備え、
前記サーバ装置は、
ユーザごとに異なる前記付属データを作成する付属データ作成手段と、商品に応じた前記証明データを作成する証明データ作成手段と、前記付属データ作成手段により作成した前記付属データおよび前記証明データ作成手段により作成した前記証明データを前記クライアント装置に送信する送信手段とを備えた。
【００２４】
この模倣品流通防止システムでは、サーバ装置は、ユーザごとに異なる付属データと商品に応じた証明データとを作成し、これらのデータをクライアント装置に送信する。クライアント装置は、サーバ装置から証明データおよび付属データを受信する。クライアント装置は、受信した付属データと自装置内に記憶されている認証データとに基づいてユーザ認証を試みる。その結果、認証に成功すなわちユーザ本人であることが確認できたならば、受信した証明データの内容を表示する。
【００２５】
請求項４記載の発明の模倣品流通防止システムは、
クライアント装置とサーバ装置とを備え、
前記クライアント装置は、
そのユーザ（そのクライアント装置の所有者）が購入した又は所有している商品が真正商品であることを証明するための証明データを前記サーバ装置から受信する証明データ受信手段と、前記証明データに付属する付属データを前記サーバ装置から受信する付属データ受信手段と、前記ユーザを認証するための認証データを入力するための認証データ入力手段と、前記付属データ受信手段により受信した前記付属データと前記認証データ入力手段により入力された前記認証データとに基づいて前記ユーザを認証（本人認証；その人がそのクライアント装置の所有者としてユーザ登録されているユーザ本人であることを認証）し、前記証明データを前記付属データに含まれる表示許可期間情報に基づいて一定期間表示可能とする表示許可手段と、前記表示許可手段により表示可能とされた前記証明データの内容を表示する表示手段とを備え、
前記サーバ装置は、
ユーザごとに異なる前記付属データを作成する付属データ作成手段と、商品に応じた前記証明データを作成する証明データ作成手段と、前記付属データ作成手段により作成した前記付属データおよび前記証明データ作成手段により作成した前記証明データを前記クライアント装置に送信する送信手段とを備えた。
【００２６】
この模倣品流通防止システムでは、サーバ装置は、ユーザごとに異なる付属データと商品に応じた証明データとを作成し、これらのデータをクライアント装置に送信する。クライアント装置は、サーバ装置から証明データおよび付属データを受信する。ユーザ（クライアント装置の所有者）は、クライアント装置に認証データを入力する。クライアント装置は、受信した付属データとユーザにより入力された認証データとに基づいてユーザ認証を試みる。その結果、認証に成功すなわちユーザ本人であることが確認できたならば、受信した証明データの内容を、付属データに含まれる表示許可期間情報に基づいて一定期間表示する。
【００２７】
請求項５記載の発明の模倣品流通防止システムは、
クライアント装置とサーバ装置とを備え、
前記クライアント装置は、
そのユーザ（そのクライアント装置の所有者）が購入した又は所有している商品、或いは購入検討中の商品が真正商品であることを証明するための証明データを前記サーバ装置から受信する証明データ受信手段と、前記証明データに付属する付属データを前記サーバ装置から受信する付属データ受信手段と、前記ユーザを認証するための認証データを記憶保持している認証データ記憶手段と、前記サーバ装置から受信した前記付属データと前記認証データ記憶手段に記憶されている前記認証データとに基づいて前記ユーザを認証（本人認証；その人がそのクライアント装置の所有者としてユーザ登録されているユーザ本人であることを認証）し、前記証明データを前記付属データに含まれる表示許可期間情報に基づいて一定期間表示可能とする表示許可手段と、前記表示許可手段により表示可能とされた前記証明データの内容を表示する表示手段とを備え、
前記サーバ装置は、
ユーザごとに異なる前記付属データを作成する付属データ作成手段と、商品に応じた前記証明データを作成する証明データ作成手段と、前記付属データ作成手段により作成した前記付属データおよび前記証明データ作成手段により作成した前記証明データを前記クライアント装置に送信する送信手段とを備えた。
【００２８】
この模倣品流通防止システムでは、サーバ装置は、ユーザごとに異なる付属データと商品に応じた証明データとを作成し、これらのデータをクライアント装置に送信する。クライアント装置は、サーバ装置から証明データおよび付属データを受信する。クライアント装置は、受信した付属データと自装置内に記憶されている認証データとに基づいてユーザ認証を試みる。その結果、認証に成功すなわちユーザ本人であることが確認できたならば、受信した証明データの内容を、付属データに含まれる表示許可期間情報に基づいて一定期間表示する。
【００２９】
請求項６記載の発明は、請求項１記載の模倣品流通防止システムにおいて、
前記サーバ装置は、
前記認証データ受信手段により受信した前記認証用データに基づいてユーザを認証し、前記商品ＩＤ受信手段により受信した前記商品ＩＤに応じた前記証明データのサンプルデータを作成するサンプルデータ作成手段と、前記サンプルデータ作成手段により作成した前記サンプルデータを前記クライアント装置に送信するサンプルデータ送信手段とを備え、
前記クライアント装置は、
前記サーバ装置から受信した前記サンプルデータを受信するサンプルデータ受信手段と、前記サンプルデータ受信手段により受信した前記サンプルデータの内容を表示する表示手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする。
【００３０】
請求項７記載の発明は、請求項２記載の模倣品流通防止システムにおいて、
前記クライアント装置は、
前記証明データのサンプルデータと前記付属データとを前記サーバ装置から受信するサンプルデータ受信手段と、前記サンプルデータ受信手段により受信した前記付属データと前記認証データ入力手段により入力された前記認証データとに基づいて前記ユーザを認証し、前記サンプルデータを表示可能とするサンプルデータ表示許可手段と、前記サンプルデータ表示許可手段により表示可能とされた前記サンプルデータの内容を表示する表示手段とを備え、
前記サーバ装置は、
商品に応じた前記証明データのサンプルデータを作成するサンプルデータ作成手段と、前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする。
【００３１】
請求項８記載の発明は、請求項３記載の模倣品流通防止システムにおいて、
前記クライアント装置は、
前記証明データのサンプルデータと前記付属データとを前記サーバ装置から受信するサンプルデータ受信手段と、
前記サーバ装置から受信した前記付属データと前記認証データ記憶手段に記憶されている前記認証データとに基づいて前記ユーザを認証し、前記サンプルデータを表示可能とするサンプルデータ表示許可手段と、
前記サンプルデータ表示許可手段により表示可能とされた前記サンプルデータの内容を表示する表示手段とを備え、
前記サーバ装置は、
商品に応じた前記証明データのサンプルデータを作成するサンプルデータ作成手段と、
前記付属データ作成手段により作成した前記付属データおよび前記サンプルデータ作成手段により作成した前記サンプルデータを前記クライアント装置に送信する送信手段とを備え、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする。
【００３２】
請求項９記載の発明は、請求項４〜８のいずれかに記載の模倣品流通防止システムにおいて、前記証明データは、前記商品または前記商品の包装に付される標章の画像データを含むことを特徴とする。
【００３３】
請求項１０記載の発明は、請求項４〜９のいずれかに記載の模倣品流通防止システムにおいて、前記証明データは、前記商品の画像、色調または模様の画像データを含むことを特徴とする。
【００３４】
請求項１１記載の発明は、請求項１〜１０のいずれかに記載の模倣品流通防止システムにおいて、
前記クライアント装置は、
前記証明データ受信手段により受信した前記証明データを保存しておくための証明データ記憶手段と、前記証明データ記憶手段に記憶されている証明データの中から任意の証明データを選択する選択手段と、前記選択手段により選択された証明データの内容を前記表示手段に表示させる証明データ表示制御手段とを備えたことを特徴とする。
【００３５】
請求項１２記載の発明は、請求項１〜１１のいずれかに記載の模倣品流通防止システムにおいて、前記認証データは、ユーザＩＤとパスワードとを含むことを特徴とする。
【００３６】
請求項１３記載の発明は、請求項１〜１２のいずれかに記載の模倣品流通防止システムにおいて、前記証明データは、前記商品の名称、その商品の型番号、その商品が何番目に製造された物であるかを示す製造番号、その商品を販売した店の名称、およびその商品を販売した店を特定するための販売店ＩＤのうちいずれかに関するデータを含むことを特徴とする。
【００３７】
請求項１４記載の発明は、請求項１３記載の模倣品流通防止システムにおいて、前記証明データと同一内容の情報を前記商品に付して商品流通を行うことを特徴とする。
【００３８】
請求項１５記載の発明は、請求項１〜１４のいずれかに記載の模倣品流通防止システムにおいて、前記クライアント装置がデータ通信機能を備えた携帯電話機であることを特徴とする。
【００３９】
請求項１６記載の発明は、請求項１〜１５のいずれかに記載の模倣品流通防止システムにおいて、前記商品は、バッグ類、衣類、宝飾品、腕時計、および車両のうちのいずれかに属することを特徴とする。
【００４０】
請求項１７記載の発明は、クライアント装置とサーバ装置とを用いた模倣品流通防止方法であって、
前記クライアント装置は、
そのユーザ（そのクライアント装置の所有者）を認証（本人認証；その人がそのクライアント装置の所有者としてユーザ登録されているユーザ本人であることを認証）するための認証データを前記サーバ装置に送信する認証データ送信ステップと、前記ユーザが購入した又は所有している商品を特定するための商品ＩＤを前記サーバ装置に送信する商品ＩＤ送信ステップと、前記商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、前記証明データ受信ステップで受信した前記証明データの内容を表示する表示ステップとを実行し、
前記サーバ装置は、
前記認証データを前記クライアント装置から受信する認証データ受信ステップと、前記商品ＩＤを前記クライアント装置から受信する商品ＩＤ受信ステップと、前記認証データ受信ステップで受信した前記認証用データに基づいてユーザを認証し、前記商品ＩＤ受信ステップで受信した前記商品ＩＤに応じた前記証明データを作成する証明データ作成ステップと、前記証明データ作成ステップで作成した前記証明データを前記クライアント装置に送信する証明データ送信ステップとを実行する。
【００４１】
請求項１８記載の発明は、クライアント装置とサーバ装置とを用いた模倣品流通防止方法であって、
前記クライアント装置は、
そのユーザ（そのクライアント装置の所有者）が購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、前記証明データに付属する付属データを前記サーバ装置から受信する付属データ受信ステップと、前記ユーザを認証するための認証データを入力するための認証データ入力ステップと、前記証明データ受信ステップで受信した前記付属データと前記認証データ入力ステップで入力された前記認証データとに基づいて前記ユーザを認証（本人認証；その人がそのクライアント装置の所有者としてユーザ登録されているユーザ本人であることを認証）し、前記証明データを表示可能とする表示許可ステップと、前記表示許可ステップで表示可能とされた前記証明データの内容を表示する表示ステップとを実行し、
前記サーバ装置は、
ユーザごとに異なる前記付属データを作成する付属データ作成ステップと、商品に応じた前記証明データを作成する証明データ作成ステップと、前記付属データ作成ステップで作成した前記付属データおよび前記証明データ作成ステップで作成した前記証明データを前記クライアント装置に送信する送信ステップとを実行する。
【００４２】
請求項１９記載の発明は、クライアント装置とサーバ装置とを用いた模倣品流通防止方法であって、
前記クライアント装置は、
そのユーザ（そのクライアント装置の所有者）が購入した又は所有している商品が真正商品であることを証明するための証明データであって、前記商品または前記商品の包装に付される標章の画像データ、或いは前記商品の画像、色調または模様の画像データを含むデータを前記サーバ装置から受信する証明データ受信ステップと、前記証明データに付属する付属データを前記サーバ装置から受信する付属データ受信ステップと、前記ユーザを認証するための認証データを認証データ記憶部に記憶保持する認証データ記憶ステップと、前記サーバ装置から受信した前記付属データと前記認証データ記憶部に記憶されている前記認証データとに基づいて前記ユーザを認証（本人認証；その人がそのクライアント装置の所有者としてユーザ登録されているユーザ本人であることを認証）し、前記証明データを表示可能とする表示許可ステップと、前記表示許可ステップで表示可能とされた前記証明データの内容を表示する表示ステップとを実行し、
前記サーバ装置は、
ユーザごとに異なる前記付属データを作成する付属データ作成ステップと、商品に応じた前記証明データを作成する証明データ作成ステップと、前記付属データ作成ステップで作成した前記付属データおよび前記証明データ作成ステップにより作成した前記証明データを前記クライアント装置に送信する送信ステップとを実行する。
【００４３】
請求項２０記載の発明は、クライアント装置とサーバ装置とを用いた模倣品流通防止方法であって、
前記クライアント装置は、
そのユーザ（そのクライアント装置の所有者）が購入した又は所有している商品が真正商品であることを証明するための証明データを前記サーバ装置から受信する証明データ受信ステップと、前記証明データに付属する付属データを前記サーバ装置から受信する付属データ受信ステップと、前記ユーザを認証するための認証データを入力するための認証データ入力ステップと、前記付属データ受信ステップで受信した前記付属データと前記認証データ入力ステップで入力された前記認証データとに基づいて前記ユーザを認証（本人認証；その人がそのクライアント装置の所有者としてユーザ登録されているユーザ本人であることを認証）し、前記証明データを前記付属データに含まれる表示許可期間情報に基づいて一定期間表示可能とする表示許可ステップと、前記表示許可ステップで表示可能とされた前記証明データの内容を表示する表示ステップとを実行し、
前記サーバ装置は、
ユーザごとに異なる前記付属データを作成する付属データ作成ステップと、商品に応じた前記証明データを作成する証明データ作成ステップと、前記付属データ作成ステップで作成した前記付属データおよび前記証明データ作成ステップで作成した前記証明データを前記クライアント装置に送信する送信ステップとを実行する。
【００４４】
請求項２１記載の発明は、クライアント装置とサーバ装置とを用いた模倣品流通防止方法であって、
前記クライアント装置は、
そのユーザ（そのクライアント装置の所有者）が購入した又は所有している商品が真正商品であることを証明するための証明データを前記サーバ装置から受信する証明データ受信ステップと、前記証明データに付属する付属データを前記サーバ装置から受信する付属データ受信ステップと、前記ユーザを認証するための認証データを認証データ記憶部に記憶保持する認証データ記憶ステップと、前記サーバ装置から受信した前記付属データと前記認証データ記憶部に記憶されている前記認証データとに基づいて前記ユーザを認証（本人認証；その人がそのクライアント装置の所有者としてユーザ登録されているユーザ本人であることを認証）し、前記証明データを前記付属データに含まれる表示許可期間情報に基づいて一定期間表示可能とする表示許可ステップと、前記表示許可ステップで表示可能とされた前記証明データの内容を表示する表示ステップとを実行し、
前記サーバ装置は、
ユーザごとに異なる前記付属データを作成する付属データ作成ステップと、商品に応じた前記証明データを作成する証明データ作成ステップと、前記付属データ作成ステップで作成した前記付属データおよび前記証明データ作成ステップで作成した前記証明データを前記クライアント装置に送信する送信ステップとを実行する。
【００４５】
請求項２２記載の発明は、請求項１７記載の模倣品流通防止方法において、
前記サーバ装置は、
前記認証データ受信ステップで受信した前記認証用データに基づいてユーザを認証し、前記商品ＩＤ受信ステップで受信した前記商品ＩＤに応じた前記証明データのサンプルデータを作成するサンプルデータ作成ステップと、前記サンプルデータ作成ステップで作成した前記サンプルデータを前記クライアント装置に送信するサンプルデータ送信ステップとを実行し、
前記クライアント装置は、
前記サーバ装置から受信した前記サンプルデータを受信するサンプルデータ受信ステップと、前記サンプルデータ受信ステップで受信した前記サンプルデータの内容を表示する表示ステップとを実行し、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする。
【００４６】
請求項２３記載の発明は、請求項１８記載の模倣品流通防止方法において、
前記クライアント装置は、
前記証明データのサンプルデータと前記付属データとを前記サーバ装置から受信するサンプルデータ受信ステップと、前記サンプルデータ受信ステップで受信した前記付属データと前記認証データ入力ステップで入力された前記認証データとに基づいて前記ユーザを認証し、前記サンプルデータを表示可能とするサンプルデータ表示許可ステップと、前記サンプルデータ表示許可ステップで表示可能とされた前記サンプルデータの内容を表示する表示ステップとを実行し、
前記サーバ装置は、
商品に応じた前記証明データのサンプルデータを作成するサンプルデータ作成ステップと、前記付属データ作成ステップで作成した前記付属データおよび前記サンプルデータ作成ステップで作成した前記サンプルデータを前記クライアント装置に送信する送信ステップとを実行し、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする。
【００４７】
請求項２４記載の発明は、請求項１９記載の模倣品流通防止方法において、
前記クライアント装置は、
前記証明データのサンプルデータと前記付属データとを前記サーバ装置から受信するサンプルデータ受信ステップと、前記サーバ装置から受信した前記付属データと前記認証データ記憶部に記憶されている前記認証データとに基づいて前記ユーザを認証し、前記サンプルデータを表示可能とするサンプルデータ表示許可ステップと、前記サンプルデータ表示許可ステップで表示可能とされた前記サンプルデータの内容を表示する表示ステップとを実行し、
前記サーバ装置は、
商品に応じた前記証明データのサンプルデータを作成するサンプルデータ作成ステップと、前記付属データ作成ステップで作成した前記付属データおよび前記サンプルデータ作成ステップで作成した前記サンプルデータを前記クライアント装置に送信する送信ステップとを実行し、
前記サンプルデータは、
前記サーバ装置から送信された時点あるいは前記クライアント装置により受信された時点から一定時間経過後に前記クライアント装置から自動的に消滅あるいは消去される期限付きデータであることを特徴とする。
【００４８】
請求項２５記載の発明は、請求項２０〜２４のいずれかに記載の模倣品流通防止方法において、前記証明データは、前記商品または前記商品の包装に付される標章の画像データを含むことを特徴とする。
【００４９】
請求項２６記載の発明は、請求項２０〜２５のいずれかに記載の模倣品流通防止方法において、前記証明データは、前記商品の画像、色調または模様の画像データを含むことを特徴とする。
【００５０】
請求項２７記載の発明は、請求項１７〜２６のいずれかに記載の模倣品流通防止方法において、
前記クライアント装置は、
前記証明データ受信ステップで受信した前記証明データを証明データ記憶部に保存する証明データ保存ステップと、前記証明データ記憶部に保存されている証明データの中から任意の証明データを選択する選択ステップと、前記選択ステップで選択した証明データの内容を表示する証明データ表示ステップとを実行することを特徴とする。
【００５１】
請求項２８記載の発明は、請求項１７〜２７のいずれかに記載の模倣品流通防止方法において、前記認証データは、ユーザＩＤとパスワードとを含むことを特徴とする。
【００５２】
請求項２９記載の発明は、請求項１７〜２８のいずれかに記載の模倣品流通防止方法において、前記証明データは、前記商品の名称、その商品の型番号、その商品が何番目に製造された物であるかを示す製造番号、その商品を販売した店の名称、およびその商品を販売した店を特定するための販売店ＩＤのうちいずれかに関するデータを含むことを特徴とする。
【００５３】
請求項３０記載の発明は、請求項２９記載の模倣品流通防止方法において、前記証明データと同一内容の情報を前記商品に付して商品流通を行うことを特徴とする。
【００５４】
請求項３１記載の発明は、請求項１７〜３０のいずれかに記載の模倣品流通防止方法において、前記クライアント装置は、データ通信機能を備えた携帯電話機であることを特徴とする。
【００５５】
請求項３２記載の発明は、請求項１７〜３１のいずれかに記載の模倣品流通防止方法において、前記商品は、バッグ類、衣類、宝飾品、腕時計、および車両のうちのいずれかに属することを特徴とする。
【００５６】
請求項３３記載の発明の商品関連画像提供システムは、クライアント装置とサーバ装置とを備え、
前記クライアント装置は、
そのユーザ（そのクライアント装置の所有者）を認証（本人認証；その人がそのクライアント装置の所有者としてユーザ登録されているユーザ本人であることを認証）するための認証データを前記サーバ装置に送信する認証データ送信手段と、前記ユーザが購入した又は所有している商品を特定するための商品ＩＤを前記サーバ装置に送信する商品ＩＤ送信手段と、前記商品に関連する画像データを前記サーバ装置から受信する商品関連画像受信手段と、前記商品関連画像受信手段により受信した画像データの内容を表示する表示手段とを備え、
前記サーバ装置は、
前記認証データを前記クライアント装置から受信する認証データ受信手段と、前記商品ＩＤを前記クライアント装置から受信する商品ＩＤ受信手段と、前記認証データ受信手段により受信した前記認証用データに基づいてユーザを認証し、前記商品ＩＤ受信手段により受信した前記商品ＩＤに応じた前記画像データを作成する商品関連画像作成手段と、前記商品関連画像作成手段により作成した前記画像データを前記クライアント装置に送信する画像データ送信手段とを備えた。
【００５７】
この商品関連画像提供システムでは、ユーザは、認証データおよび商品ＩＤを、自分のクライアント装置を使用してサーバ装置に送信する。サーバ装置は、クライアント装置から認証データおよび商品ＩＤを受信する。そして、受信した認証データに基づいてユーザ認証を試みる。その結果、認証に成功すなわちユーザ本人であることが確認できたならば、サーバ装置は、受信した商品ＩＤに応じた画像データを作成し、その画像データを、認証データおよび商品ＩＤの送信元クライアント装置に送信する。クライアント装置は、サーバ装置から画像データを受信し、その画像データの内容を表示する。
【００５８】
請求項３４記載の発明の商品関連画像提供システムは、クライアント装置とサーバ装置とを備え、
前記クライアント装置は、
そのユーザ（そのクライアント装置の所有者）が購入した又は所有している商品に関連する画像データを前記サーバ装置から受信する商品関連画像受信手段と、前記画像データに付属する付属データを前記サーバ装置から受信する付属データ受信手段と、前記ユーザを認証するための認証データを入力するための認証データ入力手段と、前記付属データ受信手段により受信した前記付属データと前記認証データ入力手段により入力された前記認証データとに基づいて前記ユーザを認証（本人認証；その人がそのクライアント装置の所有者としてユーザ登録されているユーザ本人であることを認証）し、前記画像データを表示可能とする表示許可手段と、前記表示許可手段により表示可能とされた前記画像データの内容を表示する表示手段とを備え、
前記サーバ装置は、
ユーザごとに異なる前記付属データを作成する付属データ作成手段と、商品に応じた前記画像データを作成する商品関連画像作成手段と、前記付属データ作成手段により作成した前記付属データおよび前記商品関連画像作成手段により作成した前記画像データを前記クライアント装置に送信する送信手段とを備えた。
【００５９】
この商品関連画像提供システムでは、サーバ装置は、ユーザごとに異なる付属データと商品に応じた画像データとを作成し、これらのデータをクライアント装置に送信する。クライアント装置は、サーバ装置から画像データおよび付属データを受信する。ユーザ（クライアント装置の所有者）は、クライアント装置に認証データを入力する。クライアント装置は、受信した付属データとユーザにより入力された認証データとに基づいてユーザ認証を試みる。その結果、認証に成功すなわちユーザ本人であることが確認できたならば、受信した画像データの内容を表示する。
【００６０】
請求項３５記載の発明の商品関連画像提供システムは、クライアント装置とサーバ装置とを備え、
前記クライアント装置は、
そのユーザ（そのクライアント装置の所有者）が購入した又は所有している商品に関連する画像データを前記サーバ装置から受信する商品関連画像受信手段と、前記画像データに付属する付属データを前記サーバ装置から受信する付属データ受信手段と、前記ユーザを認証するための認証データを記憶保持している認証データ記憶手段と、前記サーバ装置から受信した前記付属データと前記認証データ記憶手段に記憶されている前記認証データとに基づいて前記ユーザを認証（本人認証；その人がそのクライアント装置の所有者としてユーザ登録されているユーザ本人であることを認証）し、前記画像データを表示可能とする表示許可手段と、前記表示許可手段により表示可能とされた前記画像データの内容を表示する表示手段とを備え、
前記サーバ装置は、
ユーザごとに異なる前記付属データを作成する付属データ作成手段と、商品に応じた前記画像データを作成する商品関連画像作成手段と、前記付属データ作成手段により作成した前記付属データおよび前記商品関連画像作成手段により作成した前記画像データを前記クライアント装置に送信する送信手段とを備えた。
【００６１】
この商品関連画像提供システムでは、サーバ装置は、ユーザごとに異なる付属データと商品に応じた画像データとを作成し、これらのデータをクライアント装置に送信する。クライアント装置は、サーバ装置から証明データおよび付属データを受信する。クライアント装置は、受信した付属データと自装置内に記憶されている認証データとに基づいてユーザ認証を試みる。その結果、認証に成功すなわちユーザ本人であることが確認できたならば、受信した画像データの内容を表示する。
【００６２】
請求項３６記載の発明は、請求項３３〜３５のいずれかに記載の商品関連画像提供システムにおいて、前記画像データは、前記商品または前記商品の包装に付される標章の画像データであることを特徴とする。
【００６３】
請求項３７記載の発明は、請求項３３〜３６のいずれかに記載の商品関連画像提供システムにおいて、前記画像データは、前記商品の画像、色調または模様の画像データであることを特徴とする。
【００６４】
請求項３８記載の発明は、請求項３３〜３７のいずれかに記載の商品関連画像提供システムにおいて、
前記クライアント装置は、
前記商品関連画像受信手段により受信した前記画像データを保存しておくための商品関連画像記憶手段と、前記商品関連画像記憶手段に記憶されている画像データの中から任意の画像データを選択する選択手段と、前記選択手段により選択された画像データの内容を前記表示手段に表示させる商品関連画像表示制御手段とを備えた。
【００６５】
請求項３９記載の発明は、請求項３３〜３８のいずれかに記載の商品関連画像提供システムにおいて、前記認証データは、ユーザＩＤとパスワードとを含むことを特徴とする。
【００６６】
請求項４０記載の発明は、請求項３３〜３９のいずれかに記載の商品関連画像提供システムにおいて、前記画像データは、前記商品の名称、その商品の型番号、その商品が何番目に製造された物であるかを示す製造番号、その商品を販売した店の名称、およびその商品を販売した店を特定するための販売店ＩＤのうちいずれかに関するデータと同一ファイルに収納して提供されることを特徴とする。
【００６７】
請求項４１記載の発明は、請求項３３〜４０のいずれかに記載の商品関連画像提供システムにおいて、前記クライアント装置がデータ通信機能を備えた携帯電話機であることを特徴とする。
【００６８】
請求項４２記載の発明は、請求項３３〜４１のいずれかに記載の商品関連画像提供システムにおいて、前記商品は、バッグ類、衣類、宝飾品、腕時計、および車両のうちのいずれかに属することを特徴とする。
【００６９】
請求項４３記載の発明は、クライアント装置とサーバ装置とを用いた商品関連画像提供方法であって、
前記クライアント装置は、
そのユーザ（そのクライアント装置の所有者）を認証（本人認証；その人がそのクライアント装置の所有者としてユーザ登録されているユーザ本人であることを認証）するための認証データを前記サーバ装置に送信する認証データ送信ステップと、前記ユーザが購入した又は所有している商品を特定するための商品ＩＤを前記サーバ装置に送信する商品ＩＤ送信ステップと、前記商品に関連する画像データを前記サーバ装置から受信する商品関連画像受信ステップと、前記商品関連画像受信ステップで受信した画像データの内容を表示する表示ステップとを実行し、
前記サーバ装置は、
前記認証データを前記クライアント装置から受信する認証データ受信ステップと、前記商品ＩＤを前記クライアント装置から受信する商品ＩＤ受信ステップと、前記認証データ受信ステップで受信した前記認証用データに基づいてユーザを認証し、前記商品ＩＤ受信ステップで受信した前記商品ＩＤに応じた前記画像データを作成する商品関連画像作成ステップと、前記商品関連画像作成ステップで作成した前記画像データを前記クライアント装置に送信する商品関連画像送信ステップとを実行する。
【００７０】
請求項４４記載の発明は、クライアント装置とサーバ装置とを用いた商品関連画像提供方法であって、
前記クライアント装置は、
そのユーザ（そのクライアント装置の所有者）が購入した又は所有している商品に関連する画像データを前記サーバ装置から受信する商品関連画像受信ステップと、前記画像データに付属する付属データを前記サーバ装置から受信する付属データ受信ステップと、前記ユーザを認証するための認証データを入力するための認証データ入力ステップと、前記付属データ受信ステップで受信した前記付属データと前記認証データ入力ステップで入力された前記認証データとに基づいて前記ユーザを認証（本人認証；その人がそのクライアント装置の所有者としてユーザ登録されているユーザ本人であることを認証）し、前記画像データを表示可能とする表示許可ステップと、前記表示許可ステップで表示可能とされた前記画像データの内容を表示する表示ステップとを実行し、
前記サーバ装置は、
ユーザごとに異なる前記付属データを作成する付属データ作成ステップと、商品に応じた前記画像データを作成する商品関連画像作成ステップと、
前記付属データ作成ステップで作成した前記付属データおよび前記商品関連画像作成ステップで作成した前記画像データを前記クライアント装置に送信する送信ステップとを実行する。
【００７１】
請求項４５記載の発明は、クライアント装置とサーバ装置とを用いた商品関連画像提供方法であって、
前記クライアント装置は、
そのユーザ（そのクライアント装置の所有者）が購入した又は所有している商品に関連する画像データを前記サーバ装置から受信する商品関連画像受信ステップと、前記画像データに付属する付属データを前記サーバ装置から受信する付属データ受信ステップと、前記ユーザを認証するための認証データを認証データ記憶部に記憶保持する認証データ記憶ステップと、前記サーバ装置から受信した前記付属データと前記認証データ記憶部に記憶されている前記認証データとに基づいて前記ユーザを認証（本人認証；その人がそのクライアント装置の所有者としてユーザ登録されているユーザ本人であることを認証）し、前記画像データを表示可能とする表示許可ステップと、前記表示許可ステップで表示可能とされた前記画像データの内容を表示する表示ステップとを実行し、
前記サーバ装置は、
ユーザごとに異なる前記付属データを作成する付属データ作成ステップと、商品に応じた前記画像データを作成する商品関連画像作成ステップと、前記付属データ作成ステップで作成した前記付属データおよび前記商品関連画像作成ステップにより作成した前記画像データを前記クライアント装置に送信する送信ステップとを実行する。
【００７２】
請求項４６記載の発明は、請求項４３〜４５のいずれかに記載の商品関連画像提供方法において、前記画像データは、前記商品または前記商品の包装に付される標章の画像データである。
【００７３】
請求項４７記載の発明は、請求項４３〜４６のいずれかに記載の商品関連画像提供方法において、前記画像データは、前記商品の画像、色調または模様の画像データである。
【００７４】
請求項４８記載の発明は、請求項４３〜４７のいずれかに記載の商品関連画像提供方法において、
前記クライアント装置は、
前記商品関連画像受信ステップで受信した前記画像データを画像データ記憶部に保存する商品関連画像保存ステップと、前記画像データ記憶部に保存されている画像データの中から任意の画像データを選択する選択ステップと、
前記選択ステップで選択した画像データの内容を前記表示手段に表示させる選択データ表示ステップとを実行する。
【００７５】
請求項４９記載の発明は、請求項４３〜４８のいずれかに記載の商品関連画像提供方法において、前記画像データは、ユーザＩＤとパスワードとを含む。
【００７６】
請求項５０記載の発明は、請求項４３〜４９のいずれかに記載の商品関連画像提供提法において、前記画像データを、前記商品の名称、その商品の型番号、その商品が何番目に製造された物であるかを示す製造番号、その商品を販売した店の名称、およびその商品を販売した店を特定するための販売店ＩＤのうちいずれかに関するデータと共に同一ファイルに収納して提供するようにしたことを特徴としている。
【００７７】
請求項５１記載の発明は、請求項４３〜５０のいずれかに記載の商品関連画像提供方法において、前記クライアント装置が、データ通信機能を備えた携帯電話機である点にさらなる特徴を有する。
【００７８】
請求項５２記載の発明は、請求項４３〜５１のいずれかに記載の商品関連画像提供方法において、前記商品が、バッグ類、衣類、宝飾品、腕時計、および車両のうちのいずれかに属することを更なる特徴とする。
【００７９】
請求項５３記載の発明のクライアント装置は、そのユーザ（そのクライアント装置の所有者）を認証（本人認証；その人がそのクライアント装置の所有者としてユーザ登録されているユーザ本人であることを認証）するための認証データをサーバ装置に送信する認証データ送信手段と、前記ユーザが購入した又は所有している商品を特定するための商品ＩＤを前記サーバ装置に送信する商品ＩＤ送信手段と、前記商品が真正商品であることを証明するための証明データであって、前記商品または前記商品の包装に付される標章の画像データ、或いは前記商品の画像、色調または模様の画像データを含むデータを前記サーバ装置から受信する証明データ受信手段と、前記証明データ受信手段により受信した前記証明データの内容を表示する表示手段とを備えたことを特徴としている。
【００８０】
このクライアント装置は、認証データおよび商品ＩＤをサーバ装置に送信し、その結果（認証データおよび商品ＩＤに応じた結果）としてサーバ装置から送られてくる証明データを受信し、その証明データの内容を表示する。
【００８１】
請求項５４記載の発明は、請求項５３記載のクライアント装置において、
商品に取り付けられているデータキャリアから商品ＩＤを読み出す商品ＩＤ読出手段を備え、前記商品ＩＤ送信手段は、前記商品ＩＤ読出手段により読み出された商品ＩＤを前記サーバ装置に送信することを特徴としている。前記データキャリアとしては、ＲＦＩＤ、バーコード、二次元シンボル（PDF417、Date Matrix、Maxi Code、QR Code、等）、磁性膜、等がある。このクライアント装置は、商品に取り付けられているデータキャリアから商品ＩＤを読み出し、その商品ＩＤをサーバ装置に送信する。
【００８２】
請求項５５記載の発明のクライアント装置は、そのユーザ（そのクライアント装置の所有者）が購入した又は所有している商品が真正商品であることを証明するための証明データであって、前記商品または前記商品の包装に付される標章の画像データ、或いは前記商品の画像、色調または模様の画像データを含むデータをサーバ装置から受信する証明データ受信手段と、前記証明データに付属する付属データを前記サーバ装置から受信する付属データ受信手段と、前記ユーザを認証するための認証データを入力するための認証データ入力手段と、前記付属データ受信手段により受信した前記付属データと前記認証データ入力手段により入力された前記認証データとに基づいて前記ユーザを認証（本人認証；その人がそのクライアント装置の所有者としてユーザ登録されているユーザ本人であることを認証）し、前記証明データを表示可能とする表示許可手段と、前記表示許可手段により表示可能とされた前記証明データの内容を表示する表示手段とを備えたことを特徴としている。
【００８３】
このクライアント装置は、サーバ装置から証明データをおよび付属データを受信し、受信した付属データとユーザにより入力された認証データとに基づいてユーザ認証を試みる。その結果、認証に成功すなわちユーザ本人であることが確認できたならば、受信した証明データの内容を表示する。
【００８４】
請求項５６記載の発明のクライアント装置は、そのユーザ（そのクライアント装置の所有者）が購入した又は所有している商品、或いは購入検討中の商品が真正商品であることを証明するための証明データであって、前記商品または前記商品の包装に付される標章の画像データ、或いは前記商品の画像、色調または模様の画像データを含むデータをサーバ装置から受信する証明データ受信手段と、前記証明データに付属する付属データを前記サーバ装置から受信する付属データ受信手段と、前記ユーザを認証するための認証データを記憶保持している認証データ記憶手段と、前記サーバ装置から受信した前記付属データと前記認証データ記憶手段に記憶されている前記認証データとに基づいて前記ユーザを認証（本人認証；その人がそのクライアント装置の所有者としてユーザ登録されているユーザ本人であることを認証）し、前記証明データを表示可能とする表示許可手段と、前記表示許可手段により表示可能とされた前記証明データの内容を表示する表示手段とを備えたことを特徴としている。
【００８５】
このクライアント装置は、サーバ装置から証明データをおよび付属データを受信し、受信した付属データと自装置内に記憶されている認証データとに基づいてユーザ認証を試みる。その結果、認証に成功すなわちユーザ本人であることが確認できたならば、受信した証明データの内容を表示する。
【００８６】
請求項５７記載の発明にかかるクライアント装置は、そのユーザ（そのクライアント装置の所有者）が購入した又は所有している商品が真正商品であることを証明するための証明データをサーバ装置から受信する証明データ受信手段と、前記証明データに付属する付属データを前記サーバ装置から受信する付属データ受信手段と、前記ユーザを認証するための認証データを入力するための認証データ入力手段と、前記付属データ受信手段により受信した前記付属データと前記認証データ入力手段により入力された前記認証データとに基づいて前記ユーザを認証（本人認証；その人がそのクライアント装置の所有者としてユーザ登録されているユーザ本人であることを認証）し、前記証明データを前記付属データに含まれる表示許可期間情報に基づいて一定期間表示可能とする表示許可手段と、前記表示許可手段により表示可能とされた前記証明データの内容を表示する表示手段とを備えたことを特徴としている。
【００８７】
このクライアント装置は、サーバ装置から証明データをおよび付属データを受信し、受信した付属データとユーザにより入力された認証データとに基づいてユーザ認証を試みる。その結果、認証に成功すなわちユーザ本人であることが確認できたならば、受信した証明データの内容を、付属データに含まれる表示許可期間情報に基づいて一定期間表示する。
【００８８】
請求項５８記載の発明にかかるクライアント装置は、そのユーザ（そのクライアント装置の所有者）が購入した又は所有している商品が真正商品であることを証明するための証明データをサーバ装置から受信する証明データ受信手段と、前記証明データに付属する付属データを前記サーバ装置から受信する付属データ受信手段と、前記ユーザを認証するための認証データを記憶保持している認証データ記憶手段と、前記付属データ受信手段により受信した前記付属データと前記認証データ記憶手段に記憶保持されている前記認証データとに基づいて前記ユーザを認証（本人認証；その人がそのクライアント装置の所有者としてユーザ登録されているユーザ本人であることを認証）し、前記証明データを前記付属データに含まれる表示許可期間情報に基づいて一定期間表示可能とする表示許可手段と、前記表示許可手段により表示可能とされた前記証明データの内容を表示する表示手段とを備えたことを特徴としている。
【００８９】
このクライアント装置は、サーバ装置から証明データをおよび付属データを受信し、受信した付属データと自装置内に記憶されている認証データとに基づいてユーザ認証を試みる。その結果、認証に成功すなわちユーザ本人であることが確認できたならば、受信した証明データの内容を、付属データに含まれる表示許可期間情報に基づいて一定期間表示する。
【００９０】
請求項５９記載の発明は、請求項５３または５４記載のクライアント装置において、前記証明データのサンプルデータを前記サーバ装置から受信するサンプルデータ受信手段と、前記サンプルデータ受信手段により受信した前記サンプルデータの内容を表示する表示手段とを備え、前記サンプルデータは、前記サーバ装置から送信された時点あるいは前記クライアント装置により受信された時点から一定時間経過後に前記クライアント装置から自動的に消滅あるいは消去される期限付きデータであることを特徴としている。
【００９１】
請求項６０記載の発明は、請求項５５記載のクライアント装置において、前記証明データのサンプルデータと前記付属データとを前記サーバ装置から受信するサンプルデータ受信手段と、前記サンプルデータ受信手段により受信した前記付属データと前記認証データ入力手段により入力された前記認証データとに基づいて前記ユーザを認証し、前記サンプルデータを表示可能とするサンプルデータ表示許可手段と、前記サンプルデータ表示許可手段により表示可能とされた前記サンプルデータの内容を表示する表示手段とを備えたことを特徴としている。
【００９２】
請求項６１記載の発明は、請求項５６記載のクライアント装置において、前記証明データのサンプルデータと前記付属データとを前記サーバ装置から受信するサンプルデータ受信手段と、前記サーバ装置から受信した前記付属データと前記認証データ記憶手段に記憶されている前記認証データとに基づいて前記ユーザを認証し、前記サンプルデータを表示可能とするサンプルデータ表示許可手段と、前記サンプルデータ表示許可手段により表示可能とされた前記サンプルデータの内容を表示する表示手段とを備えたことを特徴としている。
【００９３】
請求項６２記載の発明は、請求項５３〜６１のいずれかに記載のクライアント装置において、前記証明データ受信手段により受信した前記証明データを保存しておくための証明データ記憶手段と、前記証明データ記憶手段に記憶されている証明データの中から任意の証明データを選択する選択手段と、前記選択手段により選択された証明データの内容を前記表示手段に表示させる証明データ表示制御手段とを備えていることを特徴としている。
【００９４】
請求項６３記載の発明は、請求項５３〜６２のいずれかに記載のクライアント装置において、前記認証データは、ユーザＩＤとパスワードとを含むことを特徴としている。
【００９５】
請求項６４記載の発明は、請求項５３〜６３のいずれかに記載のクライアント装置において、前記証明データは、前記商品の名称、その商品の型番号、その商品が何番目に製造された物であるかを示す製造番号、その商品を販売した店の名称、およびその商品を販売した店を特定するための販売店ＩＤのうちいずれかに関するデータを含むことを特徴としている。
【００９６】
請求項６５記載の発明は、請求項５３〜６４のいずれかに記載のクライアント装置がデータ通信機能を有する携帯電話機であることを特徴としている。
【００９７】
請求項６６記載の発明は、請求項５３〜６５のいずれかに記載のクライアント装置において、前記商品は、バッグ類、衣類、宝飾品、腕時計、および車両のうちいずれかに属することを特徴としている。
【００９８】
請求項６７記載のサーバ装置は、クライアント装置のユーザを認証するための認証データを当該クライアント装置から受信する認証データ受信手段と、前記ユーザが購入した又は所有している商品を特定するための商品ＩＤを前記クライアント装置から受信する商品ＩＤ受信手段と、前記認証データ受信手段により受信した前記認証用データに基づいてユーザを認証し、前記商品ＩＤ受信手段により受信した前記商品ＩＤに応じた証明データを作成する証明データ作成手段と、前記証明データ作成手段により作成した前記証明データを前記クライアント装置に送信する証明データ送信手段とを備え、前記証明データは、前記クライアント装置のユーザが購入した又は所有している商品が真正商品であることを証明するためのデータであって、前記商品または前記商品の包装に付される標章の画像データ、或いは前記商品の画像、色調または模様の画像データを含むデータであることを特徴としている。
【００９９】
このサーバ装置は、クライアント装置から認証データおよび商品ＩＤを受信する。そして、受信した認証データに基づいてユーザ認証を試みる。その結果、認証に成功すなわちユーザ本人であることが確認できたならば、受信した商品ＩＤに応じた証明データを作成し、その証明データを、認証データおよび商品ＩＤの送信元クライアント装置に送信する。
【０１００】
請求項６８記載のサーバ装置は、クライアント装置のユーザごとに異なる付属データを作成する付属データ作成手段と、商品に応じた証明データを作成する証明データ作成手段と、前記付属データ作成手段により作成した前記付属データおよび前記証明データ作成手段により作成した前記証明データを前記クライアント装置に送信する送信手段とを備え、前記証明データは、前記クライアント装置のユーザが購入した又は所有している商品が真正商品であることを証明するためのデータであって、前記商品または前記商品の包装に付される標章の画像データ、或いは前記商品の画像、色調または模様の画像データを含むデータであり、前記付属データは、前記証明データに付属する付属データであることを特徴としている。
【０１０１】
このサーバ装置は、ユーザごとに異なる付属データと商品に応じた証明データとを作成し、これらのデータをクライアント装置に送信する。
【０１０２】
請求項６９記載の発明は、請求項６７記載のサーバ装置において、前記認証データ受信手段により受信した前記認証データに基づいてユーザを認証し、前記商品ＩＤ受信手段により受信した前記商品ＩＤに応じた前記証明データのサンプルデータを作成するサンプルデータ作成手段と、前記サンプルデータ作成手段により作成した前記サンプルデータを前記クライアント装置に送信するサンプルデータ送信手段とを備えたことを特徴としている。
【０１０３】
請求項７０記載の発明は、請求項６８記載のサーバ装置において、前記証明データのサンプルデータを作成するサンプルデータ作成手段と、前記付属データ作成手段により作成した前記付属データおよび前記サンプルデータ作成手段により作成した前記サンプルデータを前記クライアント装置に送信する送信手段とを備え、前記サンプルデータは、前記サーバ装置から送信された時点あるいは前記クライアント装置により受信された時点から一定時間経過後に前記クライアント装置から自動的に消滅あるいは消去される期限付きデータであることを特徴としている。
【０１０４】
請求項７１記載の発明は、請求項６７〜７０のいずれかに記載のサーバ装置において、前記認証データは、ユーザＩＤとパスワードとを含むことを特徴としている。
【０１０５】
請求項７２記載の発明は、請求項請求項６７〜７１のいずれかに記載のサーバ装置において、前記証明データは、前記商品の名称、その商品の型番号、その商品が何番目に製造された物であるかを示す製造番号、その商品を販売した店の名称、およびその商品を販売した店を特定するための販売店ＩＤのうちいずれかに関するデータを含むことを特徴としている。
【０１０６】
請求項７３記載の発明は、請求項６７〜７２のいずれかに記載のサーバ装置において、前記クライアント装置がデータ通信機能を有する携帯電話機であることを特徴としている。
【０１０７】
請求項７４記載の発明は、請求項６７〜７３のいずれかに記載のサーバ装置において、前記商品は、バッグ類、衣類、宝飾品、腕時計、および車両のうちのいずれかに属することを特徴としている。
【０１０８】
請求項７５記載のプログラムは、請求項１、２、３、４、５、６、７、８、９、１５、３３、３４、３５、３６、または４１に記載の前記クライアント装置を、コンピュータを用いて実現するためのプログラムであることを特徴とする。
【０１０９】
請求項７６記載のプログラムは、請求項１、２、３、４、５、６、７、８、３３、３４、または３５に記載の前記サーバ装置を、コンピュータを用いて実現するためのプログラムであることを特徴とする。
【０１１０】
請求項７７記載のプログラムは、請求項１７〜３２のいずれかに記載の模倣品流通防止方法を、複数のコンピュータを含む通信システムを用いて実施するためのプログラムであることを特徴とする。
【０１１１】
請求項７８記載のプログラムは、請求項４３〜５２のいずれかに記載の商品関連画像提供方法を、複数のコンピュータを含む通信システムを用いて実施するためのプログラムであることを特徴とする。
【０１１２】
請求項７９記載のプログラムは、請求項５３〜６６のいずれかに記載のクライアント装置を、コンピュータを用いて実現するためのプログラムであることを特徴とする。
【０１１３】
請求項８０記載のプログラムは、請求項６７〜７４のいずれかに記載のサーバ装置を、コンピュータを用いて実現するためのプログラムであることを特徴とする。
【０１１４】
請求項８１記載の記録媒体は、請求項７５〜８０のいずれかに記載のプログラムを記録したコンピュータ読み取り可能な記録媒体であることを特徴とする。
【発明の効果】
【０１１５】
本発明のシステム、クライアント装置、およびサーバ装置によれば、真正商品の購入者又は所有者だけがその商品の画像やその商品のブランドマークなど、その商品に関連する真正の画像を取得し、自分のクライアント装置に表示できるようにすることが可能となる。また、商品を購入した又は所有しているユーザのみならず、商品の購入を検討中のユーザも、その商品が真正商品であるか否かを容易に判別できるようにすることが可能となる。
【０１１６】
本発明のプログラムおよび記録媒体によれば、本発明のシステム、クライアント装置、およびサーバ装置をコンピュータを用いて実現することができる。
【発明を実施するための最良の形態】
【０１１７】
以下、本発明の実施形態について説明する。
【０１１８】
図１は本発明にかかる模倣品流通防止システムの実施形態の一例を示すシステム構成図である。本発明にかかる商品関連画像提供システムも図１と同様に構成することが可能である。
【０１１９】
模倣品流通防止システム１００は、複数のクライアント装置２００、２００、・・・と少なくとも１台のサーバ装置（コンテンツ・サーバ）３００とを備えて構成される。
【０１２０】
クライアント装置２００は、インターネット接続機能および携帯電話機能を備えた携帯型コンピュータ、すなわちインターネット接続機能を備えた携帯電話機である。サーバ装置３００は、インターネット４００および移動パケット通信網５００を介して、クライアント装置２００に各種サービスを提供するコンピュータである。
【０１２１】
サーバ装置３００には、データベース３５０が接続されている。移動パケット通信網５００は、クライアント装置２００と無線通信する基地局５１０と、基地局５１０とインターネット４００との間に存在するゲートウェイ装置（ゲートウェイ・サーバ）５２０とを備えている。
【０１２２】
クライアント装置２００は、基地局５１０およびゲートウェイ装置５２０を介してインターネットに接続される。クライアント装置２００から無線送信されたデータは、基地局５１０で受信され、基地局５１０からゲートウェイ装置５２０に送られ、ゲートウェイ装置５２０からインターネット４００経由でサーバ装置３００に送られる。
【０１２３】
サーバ装置３００は、インターネット４００に常時接続されている。サーバ装置３００から送信されたデータは、インターネット４００経由でゲートウェイ装置５２０に送られ、ゲートウェイ装置５２０から基地局５１０に送られ、基地局５１０からクライアント装置２００に無線送信される。
【０１２４】
移動パケット通信網５００は、クライアント装置２００に対してパケット通信サービスを提供する。また、このシステム１００は、図示されていないが、移動電話網を有している。移動電話網は、クライアント装置２００に対して一般的な移動電話の通話サービスを提供する。
【０１２５】
ゲートウェイ装置５２０は、移動パケット通信網５００用の通信プロトコルと、インターネット４００の標準プロトコルであるＴＣＰ／ＩＰ（transmission control protocol/internet protocol）との相互変換（プロトコル変換）を行って、移動パケット通信網５００とインターネット４００間のデータの授受を中継する。クライアント装置２００が、ＴＣＰ／ＩＰによる通信機能を有している場合は、上記プロトコル変換を行う必要はない。
【０１２６】
基地局５１０は、移動パケット通信網５００内に多数設置されており、自局５１０のカバーする通信エリア（セル）に在圏しているクライアント装置２００と無線通信を行う。
【０１２７】
クライアント装置２００は、自装置２００が在圏している通信エリアをカバーする基地局５１０と無線通信を行い、パケット通信サービスや通話サービスを受ける。また、クライアント装置２００は、各店舗に設置された端末装置（ＰＣ）６００と通信ケーブルを介してデータの送受信を行うローカル通信機能を有している。
【０１２８】
図２はクライアント装置２００の構成例を示すブロック図である。
図２に示すように、クライアント装置２００は、無線通信部２１０と、表示部２２０と、証明データ記憶部２３０と、操作部２４０と、通話処理部２５０と、通信インタフェース２６０と、ユーザＩＤ記憶部２７０と、制御部２８０とを備えている。
【０１２９】
無線通信部２１０は、アンテナ２１０ａを使用して、図１に示した基地局５１０と無線通信する。すなわち、無線通信部２１０は、送話音声に関するデータやパケット通信用のデータなどを搬送波に重畳して無線信号を生成し、アンテナ２１０ａを介して基地局５１０へ無線送信する。また、無線通信部２１０は、基地局５１０から送られてくる無線信号をアンテナ２１０ａを介して受信し、復調して自装置２００宛の受話音声に関するデータやパケット通信用のデータなどを得る。
【０１３０】
表示部２２０は、クライアント装置２００の状態に関する情報（電波状態、バッテリ残量など）、Ｗｅｂページや電子メールの内容、各種メニュー画面、各種入力画面（認証用データ送信画面（図１３）、商品ＩＤ送信画面（図１４）、商品ＩＤ登録解除要求画面（図９）、商品ＩＤ再登録要求画面（図１０）、等）、証明データ記憶部２３０に保存されている証明データの内容、などを表示する。表示部２２０には、液晶表示パネルなどのフラットパネルディスプレイ（ＦＰＤ）が用いられる。
【０１３１】
証明データ記憶部２３０は、サーバ装置３００から受け取った証明データやサンプルデータを保存しておくための記憶部である。証明データ記憶部２３０には、複数の証明データを保存することができる。証明データ記憶部２３０には、ＥＥＰＲＯＭ（electrically erasable and programmable read only memory）が使用される。
【０１３２】
操作部２４０は、オンフックボタン、オフフックボタン、ダイヤルボタン、機能呼び出しボタンなど、各種ボタン（操作子）を備えている。操作部２４０のボタンを操作することにより、クライアント装置２００に各種情報（電話番号、メールアドレス、パスワード、商品ＩＤ、等）を入力したり、クライアント装置２００の各種機能（インターネット接続機能、電子メール機能、保存画像表示機能、等）を呼び出したりすることができる。保存データ表示機能とは、証明データ記憶部２３０に保存されている証明データの内容を表示部２２０に表示する機能である。
【０１３３】
通話処理部２５０は、マイクロフォンやスピーカ、音声処理回路などを有し、呼接続／切断処理を含む通話処理を行う。
【０１３４】
通信インタフェース２６０は、通信ケーブル、赤外線通信（IrDA（Infrared Data Association）規格による無線通信）、ブルートゥース（Bluetooth）などのローカル通信手段による外部装置とのデータ通信を制御する。
【０１３５】
ユーザＩＤ記憶部２７０は、クライアント装置２００の電話番号、ユーザＩＤ、装置ＩＤ（クライアント装置のＩＤ）、等を記憶保持している。ユーザＩＤ記憶部２７０は、クライアント装置２００内に固定して実装されたＩＣチップであっても、着脱可能に設けられたＩＣカードであってもよい。この種のＩＣカードは、ヨーロッパの標準携帯電話方式であるＧＳＭ（Global System for Mobile Communications）ではＳＩＭ（Subscriber Identify Module）カードと呼ばれている。また、ＮＴＴドコモの携帯電話方式ではＵＩＭ（User Identity Module）カードと呼ばれている。
【０１３６】
制御部２８０は、ＣＰＵ（Central Processing Unit）、ＲＯＭ（Read Only Memory）、ＲＡＭ（Random Access Memory）などにより構成され、ＲＯＭに格納されているプログラムをＣＰＵが実行することにより、クライアント装置２００全体を制御する。その際、ＲＡＭはＣＰＵの作業領域として使用される。
【０１３７】
制御部２８０の制御下で、無線通信部２１０、表示部２２０、および操作部２４０は、それぞれ以下のように機能する。
【０１３８】
無線通信部２１０は、各クライアント装置２００のユーザを認証するための認証データをサーバ装置３００に送信する認証データ送信手段、各クライアント装置２００のユーザが購入した又は所有している商品を特定するための商品ＩＤをサーバ装置３００に送信する商品ＩＤ送信手段、ユーザが購入した又は所有している商品が真正商品であることを証明するための証明データをサーバ装置３００から受信する証明データ受信手段、証明データのサンプルデータをサーバ装置３００から受信するサンプルデータ受信手段、等として機能する。
【０１３９】
表示部２２０は、証明データおよびサンプルデータの内容を表示する表示手段などとして機能する。
【０１４０】
操作部２４０は、証明データ記憶部２３０に保存されている１つまたは複数の証明データの中から任意の証明データを選択する選択手段などとして機能する。
【０１４１】
また、制御部２８０自身は、操作部２４０により選択された証明データの内容を前記表示手段に表示させる証明データ表示制御手段などとして機能する。
【０１４２】
認証データは、ユーザＩＤ記憶部２７０に記憶保持されている何れかの情報とパスワードとからなる。この例では、認証データとして、ユーザＩＤとパスワードとを使用する。ユーザＩＤは、このシステム１００に加入している全てのユーザに割り当てられる、各ユーザ固有のコードである。パスワードは、各ユーザが決めた暗証番号であり、ユーザが操作部２３０の各種ボタンを操作することにより入力される。
【０１４３】
証明データは、商品または商品の包装に付される標章の画像データ、もしくは商品の画像、色調または模様の画像データを含んでいる。また、証明データは、商品の名称、その商品の型番号、その商品が何番目に製造された製品であるかを示す製造番号（シリアル番号）、その商品を販売した店の名称、販売した日時、およびその商品を販売した店を特定するための販売店ＩＤのうちいずれかに関するデータも含んでいる。
【０１４４】
サンプルデータは、サーバ装置３００から送信された時点あるいはクライアント装置２００により受信された時点から一定時間（たとえば５分）経過後にクライアント装置２００から自動的に消滅あるいは消去される期限付きデータである。サンプルデータは、証明データに含まれる画像データと見かけ上同一の画像データであったり、証明データに含まれる画像データと見かけ上同一の画像データに「ＳＡＭＰＬＥ」、「見本」といったテキスト情報を重ねた画像データ（図８参照）であったりする。
【０１４５】
図３はサーバ装置３００の構成例を示すブロック図である。
図３に示すように、サーバ装置３００は、通信部３１０と、データベース・インタフェース（ＤＢ_Ｉ／Ｆ）３２０と、大容量記憶部３３０と、制御部３４０とを備えている。
【０１４６】
通信部３１０は、インターネット４００及び移動パケット通信網５００を介してクライアント装置２００と通信する。また、通信部３１０は、インターネット４００を介して、各店舗に設置された端末装置（ＰＣ）６００、６００、・・・と通信する。
【０１４７】
データベース・インタフェース３２０は、制御部３３０がデータベース３５０にアクセスするためのインタフェースである。
【０１４８】
大容量記憶部３３０には、証明データ管理用プログラムと、オペレーティングシステム・プログラムとがインストールされている。大容量記憶部３３０には、ハードディスク装置が使用される。
【０１４９】
制御部３４０は、ＣＰＵ、ＲＯＭ、ＲＡＭなどにより構成され、大容量記憶部３３０にインストールされているプログラムを実行することにより、サーバ装置３００全体を制御するとともに、認証用データに基づいてユーザを認証し、商品ＩＤに応じた証明データを作成する証明データ作成手段、認証用データに基づいてユーザを認証し、商品ＩＤに応じた証明データのサンプルデータを作成するサンプルデータ作成手段、および商品ＩＤを生成する商品ＩＤ生成手段などとして機能する。
【０１５０】
制御部３４０の制御下で、通信部３１０は、認証データをクライアント装置２００から受信する認証データ受信手段、商品ＩＤをクライアント装置２００から受信する商品ＩＤ受信手段、制御部３３０により作成された証明データをクライアント装置２００に送信する証明データ送信手段、および制御部３３０により作成されたサンプルデータをクライアント装置２０に送信するサンプルデータ送信手段などとして機能する。
【０１５１】
データベース３５０には、図４に示すように、ユーザＩＤ管理領域３６０と、購入情報管理領域３７０と、画像データ管理領域３８０と、画像データ保管領域３９０とが存在する。
【０１５２】
ユーザＩＤ管理領域３６０には、図５に示すように、各ユーザの住所、氏名、電話番号、電子メールアドレス、等が各ユーザＩＤと対応させて保管されている。
【０１５３】
購入情報管理領域３７０には、図６に示すように、各ユーザが購入した又は所有している商品の商品ＩＤおよび商品関連情報が各ユーザＩＤと対応させて保管されている。商品関連情報には、商品の名称、その商品の型番号、その商品が何番目に製造された製品であるかを示す製造番号（シリアルＮｏ）、その商品を販売した店の名称、販売した日時、およびその商品を販売した店を特定するための販売店ＩＤなどが含まれる。
【０１５４】
商品ＩＤは、原則として商品を購入した（購入代金の決済行為を行った）ユーザだけに発行される、数字とアルファベットとからなる所定桁数（たとえば８桁）の記号列である。商品ＩＤは、各店舗の端末装置８００から送信されてきた商品販売情報（商品を購入したユーザのユーザＩＤ、その商品の型番号、その商品のシリアルＮｏ、販売日時、および販売店ＩＤ）に基づいて、サーバ装置３００の制御部３３０により生成され、生成後直ちに、ユーザＩＤおよび商品関連情報と対応付けて購入情報管理領域３７０に登録される。
【０１５５】
画像データ管理領域３８０には、図７に示すように、真正画像ファイル名およびサンプル画像ファイル名が商品名および型番と対応させて保管されている。
【０１５６】
画像データ保管領域３９０には、図８に示すように、真正画像およびサンプル画像がファイル名と対応させて保管されている。
【０１５７】
商品販売情報は、各店舗で商品が購入される度に取得される情報である。すなわち、各店舗の担当者は、商品が購入される度に、端末装置８００を使用して、商品を購入したユーザのユーザＩＤと、購入された商品の型番号およびシリアルＮｏを取得する。その際、ユーザＩＤは、端末装置８００がユーザのクライアント装置２００と信号ケーブルを介して通信することにより取得できる。また、購入された商品の型番号およびシリアルＮｏは、商品に付属している値札カードやタグに印刷された商品情報のバーコード等を、端末装置８００に接続されたコードリーダで読み取ることにより取得できる。また、商品に商品情報を書き込んだ非接触ＩＣタグが取り付けられている場合には、非接触ＩＣタグ内の情報をタグリーダで読み取ることにより、購入された商品の型番号およびシリアルＮｏを取得できる。
【０１５８】
端末装置８００は、上記のようにして取得した商品販売情報をサーバ装置３００に送信する。サーバ装置３００は、商品販売情報に基づいて生成した商品ＩＤを、当該商品販売情報の送信元の端末装置８００に返信する。
【０１５９】
商品ＩＤの発行方法すなわち、商品ＩＤをユーザに知らせる方法は、販売形態によって異なる。実際の店舗での販売の場合には、たとえば、商品ＩＤを記載した商品ＩＤカードを店員がユーザに直接手渡すことにより実現できる。商品ＩＤカードは、ＰＣ８００に接続されたカードライタによってその都度作成される。また、端末装置８００からユーザのクライアント装置２００に信号ケーブルなどのローカル通信手段を用いて商品ＩＤを転送することによっても実現できる。
【０１６０】
また、インターネットなどを利用した通信販売の場合には、商品ＩＤカードを商品に添えてユーザに郵送したり、ユーザのクライアント装置２００に商品ＩＤを電子メールで通知したりすることにより実現できる。
【０１６１】
商品ＩＤは、商品販売情報に基づいてその都度新規に生成され、１つのユーザＩＤに対応付けて購入情報管理領域３７０に登録されるため、その発行を受けた唯１人のユーザしか使用することができない。
【０１６２】
したがって、商品ＩＤの発行を受けているユーザ（元のユーザ）が、別のユーザに商品を譲り渡した場合（たとえば、転売した場合やプレゼントした場合など）には、購入情報管理領域３７０から元のユーザのユーザＩＤと対応付けて登録されている当該商品の商品ＩＤおよび商品関連情報を削除するとともに、当該商品を譲り受けた別のユーザ用に新たに商品ＩＤを生成し直し、当該別のユーザのユーザＩＤと新たに生成した商品ＩＤおよび商品関連情報とを対応付けて購入情報管理領域３７０に再登録する必要がある。
【０１６３】
上記再登録は、元のユーザがサーバ装置３００に対し、該当する商品ＩＤの登録解除を要求するとともに、別のユーザ（譲渡相手）に当該商品ＩＤを通知した後、当該別のユーザがサーバ装置３００に対し、旧商品ＩＤ（登録解除申請済み商品ＩＤ）の再登録を要求することによりなされる。
【０１６４】
商品ＩＤの登録解除の要求は、クライアント装置２００の表示部２２０に商品ＩＤ登録解除要求画面（図９参照）を表示させ、その画面上の所定の入力欄に商品ＩＤ、ユーザＩＤ、およびパスワードを記入した後、送信を指示する操作（ＯＫボタン操作）を行うことによりなされる。すなわち、この操作により、商品ＩＤ登録解除要求画面に入力された商品ＩＤ、ユーザＩＤ、およびパスワードが商品ＩＤ登録解除要求と共にクライアント装置２００からサーバ装置３００に送信される。サーバ装置３００は、クライアント装置２００から商品ＩＤ登録解除要求を受け取ると、その要求と共に送られてきたユーザＩＤおよびパスワードからユーザを認証し、当該ユーザＩＤと対応付けて登録されている、登録解除要求対象の商品ＩＤおよび商品関連情報を、データベース３５０の購入情報管理領域３７０から削除し、一時保存領域（図示省略）に保存する。
【０１６５】
商品ＩＤの再登録の要求は、クライアント装置２００の表示部２２０に商品ＩＤ再登録要求画面（図１０参照）を表示させ、その画面上の所定の入力欄に旧商品ＩＤ、ユーザＩＤ、およびパスワードを記入した後、送信を指示する操作（ＯＫボタン操作）を行うことによりなされる。すなわち、この操作により、商品ＩＤ再登録要求画面に入力された旧商品ＩＤ、ユーザＩＤ、およびパスワードが商品ＩＤ再登録要求と共にクライアント装置２００からサーバ装置３００に送信される。サーバ装置３００は、クライアント装置２００から商品ＩＤ再登録要求を受け取ると、その要求と共に送られてきたユーザＩＤおよびパスワードからユーザを認証し、当該ユーザＩＤと一時保存領域に保存されている商品ＩＤ（旧商品ＩＤ）および商品関連情報とに基づいて新たに商品ＩＤを生成し、当該ユーザＩＤと新たに生成した商品ＩＤおよび商品関連情報とを対応付けて購入情報管理領域３７０に登録する。そして、新たに生成された商品ＩＤを電子メールなどを使用してクライアント装置２００に通知する。
【０１６６】
次に、上記のように構成された模倣品流通防止システム１００の動作を図１１および図１２に示す流れ図に従って説明する。ここでは、対象とする商品が有名ブランドのバッグである場合を例にとり、ユーザ登録後の動作について説明する。
【０１６７】
図１１は真正商品（バッグ）を購入した又は所有しているユーザのクライアント装置２００に証明データを表示する場合の一連の処理の流れを示している。
【０１６８】
ユーザは、認証用データすなわち、ユーザＩＤとパスワードをサーバ装置３００に送信する（Ｓ１）。この処理は、クライアント装置２００の表示部２２０に認証用データ送信画面（図１３参照）を表示させ、その画面上の所定の入力欄にユーザＩＤおよびパスワードを記入した後、送信を指示する操作（ＯＫボタン操作）を行うことによりなされる。
【０１６９】
サーバ装置３００は、クライアント装置２００からユーザＩＤおよびパスワードを受信すると（Ｓ２）、受信したユーザＩＤおよびパスワードをデータベース３５０のユーザＩＤ管理領域の情報と照合することにより、ユーザ認証処理を行う（Ｓ３）。認証に成功したら（Ｓ４でＹｅｓ）、商品ＩＤ要求をクライアント装置２００に送信する（Ｓ５）。
【０１７０】
クライアント装置２００は、商品ＩＤ要求を受信すると（Ｓ６）、表示部２２０に商品ＩＤ送信画面（図１４参照）を表示して、ユーザに対し商品ＩＤの入力および送信を促す。
【０１７１】
ユーザは、商品ＩＤ送信画面上の所定の入力欄に商品ＩＤを記入した後、送信を指示する操作（ＯＫボタン操作）を行う。これにより、クライアント装置２００からサーバ装置３００に商品ＩＤが送信される（Ｓ７）。
【０１７２】
サーバ装置３００は、商品ＩＤを受信すると（Ｓ８）、商品ＩＤとユーザＩＤとをキーにしてデータベース３５０を検索（探索、サーチ）する（Ｓ９）。そして、ユーザ認証結果と、検索結果すなわち、該当した商品関連情報および真正画像ファイルとに基づいて証明データを作成し（Ｓ１０）、それをクライアント装置２００に送信する（Ｓ１１）。
【０１７３】
クライアント装置２００は、証明データを受信すると（Ｓ１２）、それを証明データ記憶部２３０に保存した後（Ｓ１３）、表示部２２０に表示する（Ｓ１４）。
【０１７４】
図１５および図１６は証明データ表示画面の表示例をしている。証明データ表示画面には、まず図１５に示すように、商品（バッグ）の画像が表示される。その画面の右下隅に表示された次頁ボタンを操作すると、図１６に示すような文字情報の画面に切り替わる。その画面の左下隅に表示された前頁ボタンを操作すると、図１５の画面に戻る。
【０１７５】
上記のように、この実施の形態によれば、真正商品（バッグ）を購入した又は所有しているユーザだけがその商品の画像を含む証明データを取得し、自分のクライアント装置２００に表示させることができる。データベース３５０に真正画像としてブランドマークの画像を保存しておけば、商品の画像の代わりにブランドマークを表示させることも可能である。
【０１７６】
図１２は商品の購入を検討中のユーザのクライアント装置２００にサンプルデータを表示する場合における一連の処理の流れを示している。
【０１７７】
図１２中のステップＳ２１〜Ｓ２６は、図１１中のステップＳ１〜Ｓ６と同様である。
【０１７８】
ユーザは、商品ＩＤ送信画面上の所定の入力欄にサンプル用商品ＩＤを記入した後、送信を指示する操作（ＯＫボタン操作）を行う。これにより、クライアント装置２００からサーバ装置３００にサンプル用商品ＩＤが送信される（Ｓ２７）。サンプル用商品ＩＤは、店頭の商品に取り付けられたタグやシール、商品と共にショーケース内に置かれたプレートやカードなどに記されている。
【０１７９】
サーバ装置３００は、サンプル用商品ＩＤを受信すると（Ｓ２８）、サンプル用商品ＩＤをキーにしてデータベース３５０を検索（探索、サーチ）する（Ｓ２９）。そして、該当したサンプル画像ファイルに基づいて証明データのサンプルデータを作成し（Ｓ３０）、それをクライアント装置２００に送信する（Ｓ３１）。
【０１８０】
クライアント装置２００は、サンプルデータを受信すると（Ｓ３２）、それを証明データ記憶部２３０に保存した後、表示部２２０に表示する（Ｓ３３）。そして、受信後一定時間経過したら（Ｓ３４でＹｅｓ）、証明データ記憶部２３０からサンプルデータを消去する（Ｓ３５）。
【０１８１】
図１７はサンプルデータ表示画面の表示例であり、この画面には、商品（バッグ）のサンプル画像が表示される。
【０１８２】
上記のように、この実施の形態によれば、商品の購入を検討中のユーザのクライアント装置２００に、その商品が真正商品であることの証となるサンプルデータを表示することができる。したがって、商品の購入を検討中のユーザも、その商品が真正商品であるか否かを容易に判別することができる。すなわち、商品のサンプルデータが表示されたならばその商品は真正商品であり、表示されなければ模倣品であると判断することができる。
【０１８３】
なお、本発明は以上の実施の形態に限定されない。
【０１８４】
たとえば、商品ＩＤを、商品名とは無関係にランダムに発生させるようにしてもよい。また、一度決めた商品ＩＤは変更せずに使用するようにしてもよい。
【０１８５】
また、クライアント装置２００は、携帯電話機に限らず、ＰＤＡ、ノート型ＰＣ等その他の携帯機器であってもよい。
【０１８６】
また、商品に取り付けられているＲＦＩＤ等のデータキャリアから商品ＩＤを読み出す（あるいは読み取る）リーダ装置をクライアント装置２００に装備し、クライアント装置２００がデータキャリアから自ら商品ＩＤを読み出し、それをサーバ装置に送信するようにしてもよい。データキャリアとしては、ＲＦＩＤ、バーコード、二次元シンボル（PDF417、Date Matrix、Maxi Code、QR Code、等）、磁性膜、等がある。
【０１８７】
また、ユーザ認証に関する処理（図１１のステップＳ１〜Ｓ４、図１２のステップＳ２１〜Ｓ２４）は、サーバ装置３００の代わりに、ゲートウェイ装置５２０が行うようにしてもよい。そして、認証用データとして、クライアント装置２００のユーザＩＤ記憶部２７０に記憶されている電話番号、ユーザＩＤ、装置ＩＤなどを使用してもよい。また、ゲートウェイ装置５２０に、サービスに応じた課金処理を行う機能を持たせてもよい。
【０１８８】
また、クライアント装置２００におけるサンプルデータの記憶領域として証明データ記憶部２３０の代わりにＲＡＭを使用してもよい。
【０１８９】
また、図１２において、サンプルデータの代わりに証明データ（真正のデータ）を使用し、証明データの受信後一定時間経過したら、証明データ記憶部２３０から証明データを消去するようにしてもよい。この場合、サンプルデータを別途作成してデータベース３５０に保存しておく必要はない。
【０１９０】
また、サーバ装置３００の制御部３４０に、付属データ作成機能を持たせるとともに、クライアント装置２００の制御部２８０に、表示許可機能を持たせてもよい。すなわち、サーバ装置３００は、ユーザごとに異なる付属データを証明データ（またはサンプルデータ）と共にクライアント装置２００に送信し、クライアント装置２００は、証明データ（またはサンプルデータ）と共に受信した付属データと、操作部２４０から入力された又はユーザＩＤ記憶部２７０に記憶されている認証データとに基づいてユーザ認証を実施し、認証に成功した場合のみ証明データ（またはサンプルデータ）を表示部２２０に表示可能とするのである。付属データとしては、データベース３５０のユーザＩＤ管理領域に保存されている情報すなわち、ユーザＩＤ、パスワード、電話番号、メースアドレスなどが使用される。クライアント装置２００サイドでの認証および表示制限機能は、かかる機能を実現するためのアプリケーションプログラム（Ｊａｖａアプリ等）をユーザ登録済みのクライアント装置２００だけにインストールすることによって容易に実現できる。このアプリケーションプログラムがインストールされていないクライアント装置では、証明データやサンプルデータを表示することができない。したがって、ユーザ登録を済ませ、且つ上記アプリケーションプログラムをクライアント装置２００にインストールしなければ、商品の画像やその商品のブランドマークなど、その商品に関連する真正の画像を収集して楽しむことも、サンプルデータを表示することもできない。
【０１９１】
また、上記付属データに表示許可期間情報を含ませておき、クライアント装置２００が表示許可期間情報に基づいて一定期間だけ真正画像データやサンプルデータ等の表示を行うようにしてもよい。
【０１９２】
図１８〜図３１は、本発明を高級ブランド品（バッグ）の画像配信システムに適用した場合におけるシステムの概要を、図と説明文とを用いて示した一連の説明図である。
【図面の簡単な説明】
【０１９３】
【図１】発明にかかる模倣品流通防止システム（または商品関連画像提供システム）の実施の形態の一例を示すシステム構成図
【０１９４】
【図２】図１中のクライアント装置の構成例を示すブロック図
【０１９５】
【図３】図１中のサーバ装置の構成例を示すブロック図
【０１９６】
【図４】図１中のデータベースの領域構成例を示す概念図
【０１９７】
【図５】図４中のユーザＩＤ管理領域の構成例を示す概念図
【０１９８】
【図６】図４中の購入情報管理領域の構成例を示す概念図
【０１９９】
【図７】図４中の画像データ管理領域の構成例を示す概念図
【０２００】
【図８】図４中の画像データ保管領域の構成例を示す概念図
【０２０１】
【図９】商品ＩＤ登録解除要求画面の表示例を示す説明図
【０２０２】
【図１０】商品ＩＤ再登録要求画面の表示例を示す説明図
【０２０３】
【図１１】真正商品を購入した又は所有しているユーザのクライアント装置に証明データを表示する場合の一連の処理の流れを示す流れ図
【０２０４】
【図１２】商品の購入を検討中のユーザのクライアント装置にサンプルデータを表示する場合の一連の処理の流れを示す流れ図
【０２０５】
【図１３】認証用データ送信画面の表示例を示す説明図
【０２０６】
【図１４】商品ＩＤ送信画面の表示例を示す説明図
【０２０７】
【図１５】証明データ表示画面の表示例を示す説明図
【０２０８】
【図１６】証明データ表示画面の表示例を示す説明図
【０２０９】
【図１７】サンプルデータ表示画面の表示例を示す説明図
【０２１０】
【図１８】本発明を高級ブランド品の画像配信システムに適用した場合におけるシステムの概要を例示する１番目の説明図
【０２１１】
【図１９】本発明を高級ブランド品の画像配信システムに適用した場合におけるシステムの概要を例示する２番目の説明図
【０２１２】
【図２０】本発明を高級ブランド品の画像配信システムに適用した場合におけるシステムの概要を例示する３番目の説明図
【０２１３】
【図２１】本発明を高級ブランド品の画像配信システムに適用した場合におけるシステムの概要を例示する４番目の説明図
【０２１４】
【図２２】本発明を高級ブランド品の画像配信システムに適用した場合におけるシステムの概要を例示する５番目の説明図
【０２１５】
【図２３】本発明を高級ブランド品の画像配信システムに適用した場合におけるシステムの概要を例示する６番目の説明図
【０２１６】
【図２４】本発明を高級ブランド品の画像配信システムに適用した場合におけるシステムの概要を例示する７番目の説明図
【０２１７】
【図２５】本発明を高級ブランド品の画像配信システムに適用した場合におけるシステムの概要を例示する８番目の説明図
【０２１８】
【図２６】本発明を高級ブランド品の画像配信システムに適用した場合におけるシステムの概要を例示する９番目の説明図
【０２１９】
【図２７】本発明を高級ブランド品の画像配信システムに適用した場合におけるシステムの概要を例示する１０番目の説明図
【０２２０】
【図２８】本発明を高級ブランド品の画像配信システムに適用した場合におけるシステムの概要を例示する１１番目の説明図
【０２２１】
【図２９】本発明を高級ブランド品の画像配信システムに適用した場合におけるシステムの概要を例示する１２番目の説明図
【０２２２】
【図３０】本発明を高級ブランド品の画像配信システムに適用した場合におけるシステムの概要を例示する１３番目の説明図
【０２２３】
【図３１】本発明を高級ブランド品の画像配信システムに適用した場合におけるシステムの概要を例示する１４番目の説明図
【符号の説明】
【０２２４】
１００：模倣品流通防止システム、商品関連画像提供システム
２００：クライアント装置
２１０：無線通信部（認証データ送信手段、商品ＩＤ送信手段、証明データ受信手段、サンプルデータ受信手段、付属データ受信手段、）
２２０：表示部（表示手段）
２３０：証明データ記憶部（証明データ記憶手段）
２４０：操作部（選択手段、認証データ入力手段）
２５０：通話処理部
２６０：通信インタフェース
２７０：ユーザＩＤ記憶部（認証データ記憶手段）
２８０：制御部（証明データ表示制御手段、表示許可手段）
３００：サーバ装置
３１０：通信部（認証データ受信手段、商品ＩＤ受信手段、証明データ送信手段、サンプルデータ送信手段、送信手段）
３２０：データベース・インタフェース
３３０：大容量記憶部
３４０：制御部（証明データ作成手段、サンプルデータ作成手段、商品ＩＤ生成手段、付属データ作成手段、）
３５０：データベース
３６０：ユーザＩＤ管理領域
３７０：購入情報管理領域
３８０：画像データ管理領域
３９０：画像データ保管領域
４００：インターネット
５００：移動パケット通信網
５１０：基地局
５２０：ゲートウェイ装置
６００：端末装置
【図１】
2004303196.tif 000003
【図２】
2004303196.tif 000004
【図３】
2004303196.tif 000005
【図４】
2004303196.tif 000006
【図５】
2004303196.tif 000007
【図６】
2004303196.tif 000008
【図７】
2004303196.tif 000009
【図８】
2004303196.tif 000010
【図９】
2004303196.tif 000011
【図１０】
2004303196.tif 000012
【図１１】
2004303196.tif 000013
【図１２】
2004303196.tif 000014
【図１３】
2004303196.tif 000015
【図１４】
2004303196.tif 000016
【図１５】
2004303196.tif 000017
【図１６】
2004303196.tif 000018
【図１７】
2004303196.tif 000019
【図１８】
2004303196.tif 000020
【図１９】
2004303196.tif 000021
【図２０】
2004303196.tif 000022
【図２１】
2004303196.tif 000023
【図２２】
2004303196.tif 000024
【図２３】
2004303196.tif 000025
【図２４】
2004303196.tif 000026
【図２５】
2004303196.tif 000027
【図２６】
2004303196.tif 000028
【図２７】
2004303196.tif 000029
【図２８】
2004303196.tif 000030
【図２９】
2004303196.tif 000031
【図３０】
2004303196.tif 000032
【図３１】
2004303196.tif 000033